(57)【要約】      （修正有）【課題】表示画面数及び分割表示画面の配置の変更におけるユーザの操作負担を軽減させる。【解決手段】複数の映像信号を入力する映像信号入力部５と、１又は複数の表示画面に、所定の映像信号に対応する画像を表示する表示部３と、ユーザの接触操作の開始位置と接触解除位置を検出し、接触情報を生成する接触検出部２と、入力された映像信号と現在の表示画面の位置とを対応づけた配置情報を含む表示画面情報を記憶した記憶部と、接触情報を利用して、現在の表示画面のうち接触開始位置と接触解除位置が属する表示画面の位置を示す情報と、ユーザの接触操作の移動の有無を示す情報とを含む入力検出情報２６を取得する接触位置取得部７と、表示画面情報と入力検出情報を利用して、接触操作を判定し、接触操作に予め対応付けられた画面切替処理を決定する入力操作判定部８と、決定された画面切替処理を実行する表示画面切替部９とを備える。【選択図】図１
2019003337.tif 000002
【特許請求の範囲】
【請求項１】
単画面表示と、複数の画面を同時に表示する複数分割表示とが可能な画像表示装置であって、
複数の映像信号を入力する入力端子を含む映像信号入力部と、
前記入力端子に入力された所定の映像信号に対応する画像を表示画面に表示する表示部と、
ユーザが接触操作をした場合に、接触が開始された位置とその接触が解除された位置を検出し、接触開始位置と接触解除位置からなる接触情報を生成する接触検出部と、
前記入力端子に入力された映像信号と、前記表示部に現在表示されている１又は複数の表示画面の位置とを対応づけた配置情報を含む表示画面情報を記憶した記憶部と、
前記接触情報を利用して、前記表示部に現在表示されている１又は複数の表示画面のうち前記接触開始位置と接触解除位置が属する表示画面の位置を示す情報と、ユーザの接触操作の移動の有無を示す情報とを含む入力検出情報を取得する接触位置取得部と、
前記表示画面情報と前記取得された入力検出情報を利用して、ユーザの前記接触操作を判定し、判定された接触操作に予め対応付けられた画面切替処理を決定する入力操作判定部と、
前記決定された画面切替処理を実行する表示画面切替部とを備えたことを特徴とする画像表示装置。
【請求項２】
前記入力操作判定部は、
前記接触開始位置と接触解除位置が属する表示画面の位置を示す情報と、
前記接触開始位置と接触解除位置から検出した接触操作の移動の有無と、
前記接触開始位置から接触解除位置に向かう直線の方向から検出した接触操作の移動方向とを利用して、ユーザの前記接触操作を判定することを特徴とする請求項１に記載の画像表示装置。
【請求項３】
前記記憶部に、前記表示部に現在表示されている画面が単画面表示か複数分割表示かを識別する表示モードと、ユーザの接触操作と、画面切替処理とを対応付けた操作判定情報を予め記憶し、
前記入力操作判定部は、前記操作判定情報を検索し、表示部に現在表示されている画面の数と判定された前記接触操作とに予め対応付けられた画面切替処理を決定することを特徴とする請求項１に記載の画像表示装置。
【請求項４】
前記画面切替処理には、前記表示部に表示される画面数を変更する表示画面数変更処理と、前記表示部に表示された複数の分割表示画面の位置を変更する表示位置変更処理と、前記表示画面の内部に表示される画像を変更するために映像信号を選択させる切替処理とが含まれることを特徴とする請求項１に記載の画像表示装置。
【請求項５】
前記表示部に単画面表示をしている場合において、前記入力操作判定部が、ユーザの接触操作を、前記接触開始位置と接触解除位置とがほぼ同じ位置であるタップ操作であるか、あるいは、前記接触開始位置と接触解除位置とが異なる位置であるフリック操作であると判定した場合、単画面表示から、２以上の画面数からなる複数分割表示に切り替える画面切替処理をすることに決定することを特徴とする請求項１に記載の画像表示装置。
【請求項６】
前記表示部に単画面表示をしている場合において、前記入力操作判定部が、ユーザの接触操作を、前記接触開始位置と接触解除位置とがそれぞれ２箇所あり、前記接触開始位置と接触解除位置とが異なる位置にあるスワイプ操作であると判定した場合、単画面表示から、２つの画面からなる複数分割表示に切り替える画面切替処理をすることに決定することを特徴とする請求項１に記載の画像表示装置。
【請求項７】
前記表示部に複数分割表示をしている場合において、前記入力操作判定部が、ユーザの接触操作を、前記接触開始位置と接触解除位置とがほぼ同じ位置であるダブルタップ操作であると判定した場合、複数分割表示から、単画面表示に切り替える画面切替処理をすることに決定することを特徴とする請求項１に記載の画像表示装置。
【請求項８】
前記表示部に複数分割表示をしている場合において、前記入力操作判定部が、ユーザの接触操作を、前記接触開始位置と接触解除位置が属する表示画面が異なり接触位置の異なる画面への移動を伴うフリック操作であると判定した場合、
前記接触開始位置と接触解除位置が属するそれぞれの表示画面の表示位置を入れ替える画面切替処理をすることに決定することを特徴とする請求項１に記載の画像表示装置。
【請求項９】
前記表示画面情報は、前記配置情報と、前記表示部に現在表示されている画面が単画面表示か複数分割表示かを識別する表示モードと、表示部に現在表示されている画面の数とを含むことを特徴とする請求項１に記載の画像表示装置。
【発明の詳細な説明】
【技術分野】
【０００１】
この発明は、画像表示装置に関し、特に、複数の映像信号を入力し、１つの表示パネルの表示画面に、所定の画像を表示する複数の画面を分割して表示することのできるマルチウインドウ表示機能を有し、指等で表示画面に接触することにより、同時に表示する分割画面の配置等を変更することが可能な画像表示装置に関する。
【背景技術】
【０００２】
従来から、複数の映像信号を入力し、各映像信号による映像を、１つの表示画面上に同時に表示する複数画面同時表示機能を有する表示装置が利用されている。
また、１つの表示画面を複数の表示領域に分割して、各分割表示領域に、それぞれ異なる映像を同時に表示するタッチパネル式ディスプレイが利用されている。
たとえば、特許文献１には、複数の分割画面に放映されている動画の中から、所望の動画を選択するために、複数の分割表示画面のうち、所望の１つの分割画面にタッチすることにより、タッチされた部分に放映されていた動画を、全画面表示に切り替えて放映するタッチパネル式ディスプレイが提案されている。
【０００３】
また、特許文献２には、地図とTV映像とからなる２画面を同時に表示可能な表示パネルを有し、表示画面の所定の位置を長押しのタッチ操作がされた場合に、２画面表示と１画面表示とを切り替え、また、短押しのタッチ操作がされた場合に、２画面表示のうち窓枠表示された画面の拡大表示または縮小表示を行い、さらに、２画面表示されている場合に、２つの画面の境界部を長押しされるか又は表示パネルの中央部分を長押しされた場合に、２つの画面の表示領域を反転表示させるナビゲーション装置が提案されている。
【０００４】
さらに、特許文献３には、タッチパネルを有する表示パネルの複数の分割表示領域にそれぞれの映像を表示させ、タッチパネルの分割表示領域のいずれかを選択して、他の分割表示領域に移動させるドラッグ操作を行うか、または、移動先の選択項目を示すメニューを表示したＯＳＤ画像から、移動先を１つ選択する操作を行うことによって、複数の分割表示領域に表示された映像を入れ替えるＡＶ機器が提案されている。
【先行技術文献】
【特許文献】
【０００５】
【特許文献１】特開２００１−８３９５０号公報
【特許文献２】特開２００６−８４９１９号公報
【特許文献３】特開２０１３−１５３４１０号公報
【発明の概要】
【発明が解決しようとする課題】
【０００６】
しかし、１画面表示と複数画面表示との切り替え操作や、複数の画面の配置を切り替えるためには、ユーザは、所定の設定画面を表示させて、リモコンによる遠隔操作や所定のキー操作を行う必要があり、複雑な操作が必要なものが多く、ユーザの操作負担が大きかった。
また、タッチパネルを利用して、表示画面の切替や配置変更のための操作をする場合でも、ユーザは、それぞれ異なるいくつかの操作を覚える必要があり、その操作は直観的にわかりにくい操作であるために、誤操作をする場合もあり、ユーザの操作負担が大きかった。
【０００７】
そこで、この発明は、以上のような事情を考慮してなされたものであり、ユーザが直観的で分かりやすい操作をすることにより、表示画面数の切替や、複数の分割表示画面の配置変更などの処理を行うことができ、ユーザの操作負担を軽減することが可能な画像表示装置を提供することを課題とする。
【課題を解決するための手段】
【０００８】
この発明は、単画面表示と、複数の画面を同時に表示する複数分割表示とが可能な画像表示装置であって、複数の映像信号を入力する入力端子を含む映像信号入力部と、前記入力端子に入力された所定の映像信号に対応する画像を表示画面に表示する表示部と、ユーザが接触操作をした場合に、接触が開始された位置とその接触が解除された位置を検出し、接触開始位置と接触解除位置からなる接触情報を生成する接触検出部と、前記入力端子に入力された映像信号と、前記表示部に現在表示されている１又は複数の表示画面の位置とを対応づけた配置情報を含む表示画面情報を記憶した記憶部と、前記接触情報を利用して、前記表示部に現在表示されている１又は複数の表示画面のうち前記接触開始位置と接触解除位置が属する表示画面の位置を示す情報と、ユーザの接触操作の移動の有無を示す情報とを含む入力検出情報を取得する接触位置取得部と、前記表示画面情報と前記取得された入力検出情報を利用して、ユーザの前記接触操作を判定し、判定された接触操作に予め対応付けられた画面切替処理を決定する入力操作判定部と、前記決定された画面切替処理を実行する表示画面切替部とを備えたことを特徴とする画像表示装置を提供するものである。
【０００９】
また、前記入力操作判定部は、前記接触開始位置と接触解除位置が属する表示画面の位置を示す情報と、前記接触開始位置と接触解除位置から検出した接触操作の移動の有無と、前記接触開始位置から接触解除位置に向かう直線の方向から検出した接触操作の移動方向とを利用して、ユーザの前記接触操作を判定することを特徴とする。
【００１０】
また、前記記憶部に、前記表示部に現在表示されている画面が単画面表示か複数分割表示かを識別する表示モードと、ユーザの接触操作と、画面切替処理とを対応付けた操作判定情報を予め記憶し、前記入力操作判定部は、前記操作判定情報を検索し、表示部に現在表示されている画面の数と判定された前記接触操作とに予め対応付けられた画面切替処理を決定することを特徴とする。
【００１１】
また、前記画面切替処理には、前記表示部に表示される画面数を変更する表示画面数変更処理と、前記表示部に表示された複数の分割表示画面の位置を変更する表示位置変更処理と、前記表示画面の内部に表示される画像を変更するために映像信号を選択させる切替処理とが含まれることを特徴とする。
【００１２】
また、前記表示部に単画面表示をしている場合において、前記入力操作判定部が、ユーザの接触操作を、前記接触開始位置と接触解除位置とがほぼ同じ位置であるタップ操作であるか、あるいは、前記接触開始位置と接触解除位置とが異なる位置であるフリック操作であると判定した場合、単画面表示から、２以上の画面数からなる複数分割表示に切り替える画面切替処理をすることに決定することを特徴とする。
【００１３】
また、前記表示部に単画面表示をしている場合において、前記入力操作判定部が、ユーザの接触操作を、前記接触開始位置と接触解除位置とがそれぞれ２箇所あり、前記接触開始位置と接触解除位置とが異なる位置にあるスワイプ操作であると判定した場合、単画面表示から、２つの画面からなる複数分割表示に切り替える画面切替処理をすることに決定することを特徴とする。
【００１４】
また、前記表示部に複数分割表示をしている場合において、前記入力操作判定部が、ユーザの接触操作を、前記接触開始位置と接触解除位置とがほぼ同じ位置であるダブルタップ操作であると判定した場合、複数分割表示から、単画面表示に切り替える画面切替処理をすることに決定することを特徴とする。
【００１５】
また、前記表示部に複数分割表示をしている場合において、前記入力操作判定部が、ユーザの接触操作を、前記接触開始位置と接触解除位置が属する表示画面が異なり接触位置の異なる画面への移動を伴うフリック操作であると判定した場合、前記接触開始位置と接触解除位置が属するそれぞれの表示画面の表示位置を入れ替える画面切替処理をすることに決定することを特徴とする。
【００１６】
また、前記表示画面情報は、前記配置情報と、前記表示部に現在表示されている画面が単画面表示か複数分割表示かを識別する表示モードと、表示部に現在表示されている画面の数とを含むことを特徴とする。
【発明の効果】
【００１７】
この発明によれば、単画面表示と、複数の画面を同時に表示する複数分割表示とが可能な画像表示装置において、接触検出部によって検出された接触開始位置と接触解除位置からなる接触情報を利用して、表示部に現在表示されている１又は複数の表示画面のうち前記接触開始位置と接触解除位置が属する表示画面の位置を示す情報と、ユーザの接触操作の移動の有無を示す情報とを含む入力検出情報を取得し、入力端子に入力された映像信号と表示部に現在表示されている１又は複数の表示画面の位置とを対応づけた配置情報を含む表示画面情報と、取得された入力検出情報とを利用して、ユーザの接触操作を判定し、判定された接触操作に予め対応付けられた画面切替処理を決定するので、表示画面数の切替や分割表示画面の表示位置の変更などの画像切替処理をするためのユーザの入力操作の迅速化を図り、ユーザの操作負担を軽減させることができる。
【図面の簡単な説明】
【００１８】
【図１】この発明の画像表示装置の一実施例の構成ブロック図である。
【図２】この発明の記憶部に記憶される分割画面情報の一実施例の説明図である。
【図３】この発明の記憶部に記憶される映像信号情報の一実施例の説明図である。
【図４】この発明の記憶部に記憶される接触情報の一実施例の説明図である。
【図５】この発明の記憶部に記憶される表示画面情報の一実施例の説明図である
【図６】この発明の記憶部に記憶される入力検出情報の一実施例の説明図である。
【図７】この発明の記憶部に記憶される操作判定情報の一実施例の説明図である。
【図８】単画面表示から、４画面表示に切り替えるための操作の一実施例の説明図である。
【図９】単画面表示から、４画面表示に切り替えるための操作の一実施例の説明図である。
【図１０】単画面表示から、２画面表示に切り替えるための操作の一実施例の説明図である。
【図１１】４画面表示から単画面表示に切り替えるための操作と、分割画面の配置変更操作の一実施例の説明図である。
【図１２】４画面表示において、分割画面に表示する入力信号を選択入力するための操作の一実施例の説明図である。
【図１３】２画面表示（ＰＩＰ）から単画面表示に切り替えるための操作と、２画面の分割画面の配置変更操作等の一実施例の説明図である。
【図１４】２画面表示（ＰＢＰ）から単画面表示に切り替えるための操作と、２画面の分割画面の配置変更操作等の一実施例の説明図である。
【図１５】この発明の画像表示装置における表示画面の切替処理等の一実施例のフローチャートである。
【図１６】この発明の接触位置取得処理の一実施例のフローチャートである。
【図１７】この発明の入力操作判定処理の一実施例のフローチャートである。
【図１８】この発明の入力操作判定処理の一実施例のフローチャートである。
【図１９】この発明の入力操作判定処理の一実施例のフローチャートである。
【図２０】この発明の入力操作判定処理の一実施例のフローチャートである。
【図２１】この発明の入力信号と表示画面位置の切替選択処理の一実施例のフローチャートである。
【発明を実施するための形態】
【００１９】
以下、図面を使用して本発明の実施の形態を説明する。なお、以下の実施例の記載によって、この発明が限定されるものではない。
＜画像表示装置の構成＞
図１に、この発明の画像表示装置の一実施例の構成ブロック図を示す。
この発明の画像表示装置は、単画面表示と、複数の画面を同時に表示する複数分割表示とが可能であって、画像を表示する表示パネルと、入力ペンや指などによって接触された位置の情報を入力するタッチパネルを備えた表示装置である。
表示パネルとタッチパネルは、重ね合わせて配置されるか、または一体成形される。
この発明の画像表示装置は、たとえば、タブレット端末、スマートフォン、電子黒板、インフォメーションディスプレイ、タッチテーブル、ノート型ＰＣ、カーナビゲーション、各種タッチディスプレイインフォメーションディスプレイ、タッチテーブル、ノート型ＰＣ、カーナビゲーション、各種タッチディスプレイなどに相当する。
【００２０】
図１において、この発明の画像表示装置は、主として、制御部１、接触検出部２、表示部３、表示信号制御部４、映像信号入力部５、入力信号処理部６、接触位置取得部７、入力操作判定部８、表示画面切替部９、記憶部２０を備える。
【００２１】
制御部１は、接触検出部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の画像表示装置の接触検出機能、表示画面切替機能などを実行する。
【００２２】
接触検出部２は、タッチパネルに相当し、入力ペンや指等によってユーザが接触操作をした場合に、接触が開始された位置とその接触が解除された位置を検出し、接触開始位置と接触解除位置からなる接触情報（接触位置座標）を生成する部分である。
タッチパネルに指等が接触された場合、接触された位置に対応する信号が出力されるので、その信号を確認することにより、接触開始位置の座標が検出される。
また、指等がタッチパネルに接触された状態から指が離された場合、接触位置に対応する信号が出力されなくなるので、信号が検出されなくなったことを確認した場合に、直前に検出されていた接触位置の座標が、接触解除位置の座標として検出される。
【００２３】
取得された接触位置の情報は、記憶部２０に、接触情報２４として記憶される。
入力ペン等によってタッチパネルに接触することにより、図形や文字を入力することもできるが、以下の実施例では、ユーザが、指等によってタッチパネルに接触することにより、表示パネルに表示された画面の数や、分割表示画面の配置等を変更する操作をする場合について説明する。
【００２４】
表示部３は、表示パネルに相当し、外部の情報処理装置などから入力された映像信号に基づく画像を表示する部分である。１つの表示パネルの１または複数の表示画面に、入力端子に入力された所定の映像信号に対応する画像を表示する。
表示パネルとしては、たとえば、液晶パネルや、有機ELパネルなどが用いられる。
【００２５】
表示信号制御部４は、表示部３に与える表示信号を生成する部分である。たとえば、入力される映像信号が１つの場合は、その映像信号に基づく表示信号が生成され、表示部３に与えられる。また、たとえば、複数の映像信号が入力され、そのうち４つの映像信号に基づく画像を表示部３に分割表示する場合は、４つの映像信号によるそれぞれの画像を所定の画面位置に表示できるように表示信号が生成され、表示部３に与えられる。
【００２６】
映像信号入力部５は、複数の映像信号を入力する入力端子を含み、外部の情報処理装置などから所定の規格に基づいた１または複数の映像信号を入力する部分である。
複数の映像信号（１〜ｎ）を入力するために、複数の入力端子を備え、所定の規格に適合したケーブルで、外部の情報処理装置と接続する。
映像信号を入力する端子としては、たとえば、ＲＧＢ端子、ＤＳＵＢ端子、Ｄ端子、ＤＶＩ端子、ＨＤＭＩ（登録商標）端子などがあり、どの端子をいくつ備えるかは、設計仕様による。
以下、入力端子に入力される映像信号を、単に、入力信号とも呼ぶ。
【００２７】
入力信号処理部６は、映像信号入力部５の入力端子から入力される映像信号を、表示部３に表示するための信号に変換し、表示信号制御部４に与える部分である。また、入力端子番号と、信号種別情報とを対応付けた映像信号情報２３を、記憶部２０に記憶する。
【００２８】
接触位置取得部７は、接触検出部２によって検出された接触情報（接触位置座標）を利用して、表示部３に現在表示されている１又は複数の表示画面のうち接触開始位置と接触解除位置が属する表示画面の位置を示す情報と、ユーザの接触操作の移動の有無を示す情報（たとえば、接触位置の移動距離や移動方向など）とを含む入力検出情報２６を取得する部分である。
後述するように、接触された分割表示画面の位置、接触位置の移動の有無や移動方向などを利用して、表示画面数の変更や、分割表示画面の配置の変更などの画面切替処理を行う。
【００２９】
入力操作判定部８は、記憶部２０に記憶された表示画面情報２５と取得された入力検出情報２６を利用して、ユーザが行った接触操作（ジェスチャー）を判定し、判定された接触操作に予め対応付けられた画面切替処理を決定する部分である。
特に、入力操作判定部８は、接触開始位置と接触解除位置が属する表示画面の位置を示す情報と、接触開始位置と接触解除位置から検出した接触操作の移動の有無と、接触開始位置から接触解除位置に向かう直線の方向から検出した接触操作の移動方向とを利用して、ユーザの行った接触操作を判定する。
後述するように、たとえば、単画面表示状態で、ユーザが、タッチパネルの同じ位置で接触して離すタップ操作をした場合は、４画面表示に切り替えるための接触操作（ジェスチャー）をしたと判断する。
また、入力操作判定部８は、記憶部２０に予め記憶された操作判定情報２１を検索し、表示部に現在表示されている画面の数と判定された接触操作とに予め対応付けられた画面切替処理を決定する。
【００３０】
表示画面切替部９は、入力操作判定部８によって決定された画面切替処理を実行する部分である。
この画面切替処理には、表示部に表示される画面数を変更する表示画面数変更処理と、表示部に表示された複数の分割表示画面の位置を変更する表示位置変更処理と、表示画面の内部に表示される画像を変更するために映像信号を選択させる切替処理とが含まれる。
たとえば、単画面表示から４画面表示への切替、単画面表示から２画面表示への切替、４画面表示から単画面表示への切替、４画面表示をしている場合の分割表示画面の配置変更、分割表示画面に表示する入力信号の切替などの処理を実行する。
【００３１】
記憶部２０は、画像表示装置の各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
ＲＯＭには、プログラムが記憶され、ＲＡＭには、一時的に利用される情報が記憶され、フラッシュメモリなどの不揮発性の書き替え可能な記憶素子には、予め設定される情報が記憶される。
【００３２】
記憶部２０には、主として、操作判定情報２１、分割画面情報２２、映像信号情報２３、接触情報２４、表示画面情報２５、入力検出情報２６が記憶される。
操作判定情報２１は、ユーザの行った接触操作（ジェスチャーとも呼ぶ）を判定し、その接触操作に対応する画面切替処理を決定するための情報である。操作判定情報２１の一実施例は、後述する図７に示す。
【００３３】
分割画面情報２２は、表示パネルに複数の分割表示画面を表示した場合において、各分割表示画面の位置を特定する情報を記憶したものである。分割画面情報２２は、接触された位置が、どの分割表示画面の表示領域に属するかを判定するときに利用する。
たとえば、分割表示として２画面分割と４画面分割を行う場合は、分割画面情報２２には、２画面位置情報３１と４画面位置情報３２とが、予め記憶される。また、２画面分割と４画面分割以外に、ｎ画面分割表示（ｎ＝３、またはｎ＞４）を行う場合は、ｎ画面位置情報が記憶される。
【００３４】
図２に、分割画面情報２２の一実施例の説明図を示す。
図２（a）は、表示部３の全体に、１つの画面を表示した場合（単画面表示）を示している。この場合、単画面が表示される領域は、表示部３が長方形形状であるとすると、その長方形の４つの頂点（a1,a2,a3,a4）で囲まれた領域である。表示部３の左上の頂点a1を、横方向をＸ軸、縦方向をＹ軸とするＸＹ座標の原点とすると、たとえば、４つの頂点は、それぞれ、a1(0 , 0)、a2(x2 , 0)、a3(0 , y3)、a4(x2 , y3)で表される。
【００３５】
単画面の画面番号をＧ１とすると、４つの頂点（a1,a2,a3,a4）で囲まれた表示領域の中の画面Ｇ１に、所定の１つの入力信号に基づく画像が表示される。
表示パネルとタッチパネルとが重ねて配置された場合、表示パネルの位置を示すＸＹ座標と、タッチパネルの接触位置を示すＸＹ座標とが一対一に対応するものとする。
【００３６】
図２（b）は、表示部３に、２つの画面を表示した場合（２画面表示）を示している。
ここでは、２つの画面（第１画面Ｇ１、第２画面Ｇ２）を横方向（Ｘ軸方向）に並置した場合を示している。このように、２画面を横方向に並置して表示したものを、ＰＢＰ（Picture By Picture）表示と呼ぶ。
また、後述する図１３（a-1）に示すように、１つの画面Ｇ１を表示部３全体に表示し、表示部３全体に表示した画面Ｇ１の表示領域の一部分に重ねて、やや小さな表示領域を持つ画面Ｇ２を同時に表した２画面表示を、ＰＩＰ（Picture In Picture）表示と呼ぶ。
【００３７】
図２（b）において、第１画面Ｇ１は、長方形の４つの頂点（b1,b2,b4,b5）で囲まれた領域であり、第２画面Ｇ２は、長方形の４つの頂点（b2,b3,b5,b6）で囲まれた領域である。
２画面表示をする場合は、分割画面情報２２として、２画面位置情報３１が記憶される。
２画面位置情報３１には、たとえば、分割表示画面ごとに、画面番号と、各分割画面の表示領域を示す４つの頂点のＸＹ座標が記憶される。
また、タッチパネルの接触位置の座標が、第１画面Ｇ１の表示領域内にある場合は、その接触位置は、２画面表示のうち第１画面Ｇ１であると判断される。
【００３８】
図２（c）は、表示部３に、４つの画面を表示した場合（４画面表示）を示している。
ここでは、４つの画面（第１画面Ｇ１、第２画面Ｇ２、第３画面Ｇ３、第４画面Ｇ４）を、横および縦方向に分割表示した場合を示している。
４画面表示をする場合は、分割画面情報２２として、４画面位置情報３２が記憶される。
４画面位置情報３２には、たとえば、分割表示画面ごとに、画面番号と、各分割画面の表示領域を示す４つの頂点のＸＹ座標が記憶される。
【００３９】
また、タッチパネルの接触開始位置（始点）の座標が、第４画面Ｇ４の表示領域内にある場合は、その接触開始位置（始点）は、第４画面Ｇ４であると判断され、接触解除位置（終点）の座標が、第３画面Ｇ３の表示領域内にある場合は、その接触解除位置（終点）は、第３画面Ｇ３であると判断される。
また、２画面表示と４画面表示以外のｎ画面表示をする場合は、同様に、ｎ画面位置情報を、記憶部２０に予め記憶すればよい。なお、分割画面情報２２は、固定値として記憶すればよいが、ユーザが、独自に、各分割表示画面の大きさと配置を設定変更できるようにしてもよい。
【００４０】
映像信号情報２３は、外部から入力される映像信号を識別するための情報であり、たとえば、入力端子番号３３と、信号種別情報３４とを含む情報である。
図３に、映像信号情報２３の一実施例の説明図を示す。
入力端子番号３３は、映像信号を入力する端子を識別するための番号である。
信号種別情報３４は、入力されている映像信号の種類を示す情報である。
図３において、たとえば、入力端子番号３３がＴ１の入力端子には、ＨＤＭＩ−０１の映像信号が入力されていることを示す。
【００４１】
接触情報２４は、タッチパネルに対する接触位置に関する情報であり、ユーザがタッチパネルに接触した位置（以下、接触開始位置、または、始点と呼ぶ）を示す情報３５と、タッチパネルに対する接触を解除した位置（以下、接触解除位置、または、終点と呼ぶ）を示す情報３６とを含む。
ユーザが指でタッチパネルに接触する場合、接触開始位置（始点）３５は、ユーザの指が最初に接触した位置を示すＸＹ座標であり、接触解除位置（終点）３６は、ユーザの指がタッチパネルから離された位置を示すＸＹ座標である。
【００４２】
図４に、接触情報２４の一実施例の説明図を示す。
図４（a）には、タッチパネルに対する接触開始位置（始点）と接触解除位置（終点）の一実施例の説明図を示している。
図４（a）において、P1を接触開始位置（始点）とし、P2を接触解除位置（終点）とする。
すなわち、ユーザが、P1（xp1,yp1）の位置で指をタッチパネルに接触させ、指をタッチパネルに接触させたまま移動させ、P2（xp2,yp2）の位置で指の接触を解除した（指を離した）とする。
【００４３】
また、タッチパネルのＸＹ座標も、図２（a）に示した４つの頂点（a1,a2,a3,a4）で囲まれた表示領域のＸＹ座標と同じＸＹ座標で表されるものとすると、検出された位置座標は、表示パネルに対する表示座標にも相当する。
この場合、図４（b）に示すように、接触開始位置（始点）P1の位置を示す座標（xp1,yp1）と、接触解除位置（終点）P2の位置を示す座標（xp2,yp2）とが、接触情報２４として記憶される。
【００４４】
表示画面情報２５は、現在、表示パネルに表示されている画面に関する情報と、表示画面と入力端子との関係を記憶した情報であり、たとえば、表示モード３７、画面数３８、配置情報３９を含む情報である。
表示モード３７は、表示部に現在表示されている画面が、単画面表示かあるいは複数分割表示のどちらであるかを識別する情報である。図２（a）のような単画面表示をしている場合は、たとえば、表示モード３７に「単画面表示」を意味する情報が設定され、図２（b）や図２（c）のような２画面表示あるいは４画面表示をしている場合は、表示モード３７に「複数分割表示」を意味する情報が設定される。
【００４５】
画面数３８は、表示部に現在表示されている画面の数を示す情報であり、たとえば、複数分割画面を表示している場合において、４画面表示をしている場合は、画面数３８に４が設定され、２画面表示をしている場合は、画面数３８に２が設定される。なお、単画面表示をしている場合は、画面数３８に１を設定すればよい。
【００４６】
配置情報３９は、入力端子に入力された映像信号と、表示部３に現在表示されている１または複数の表示画面の位置とを対応づけた情報であり、どの映像信号の画像が、どの画面に表示されているかを示す情報である。
配置情報３９は、たとえば、表示画面の番号と、入力端子の番号と、信号種別情報とからなる。
【００４７】
図５に、表示画面情報２５の一実施例の説明図を示す。
図５（a）と図５（b）は、現在、４画面表示をしている場合の表示画面情報２５の一実施例を示し、図５（c）と図５（d）は、現在、２画面表示をしている場合の表示画面情報２５の一実施例を示している。
図５（a）の配置情報３９は、図５（b）に示すような４画面表示をしている場合の設定値を示している。
図５（a）の場合は、表示モード３７が「複数分割表示」で、画面数３８が４である。
【００４８】
また、図５（b）に示すように、たとえば、左上の表示画面Ｇ１に、入力端子Ｔ１に入力されている映像信号ＨＤＭＩ−０１による画像が現在表示されている場合は、配置情報３９として、表示画面の番号Ｇ１と、入力端子の番号Ｔ１と、信号種別情報ＨＤＭＩ−０１とが、対応付けられて記憶される。
同様に、右上の表示画面Ｇ２に、入力端子Ｔ４に入力されている映像信号ＨＤＭＩ−０２による画像が現在表示されている場合は、配置情報３９として、表示画面の番号Ｇ２と、入力端子の番号Ｔ４と、信号種別情報ＨＤＭＩ−０２とが、対応付けられて記憶される。
また、左下の表示画面Ｇ３と右下の表示画面Ｇ４についても、それぞれ、表示画面の番号と、入力端子の番号と、信号種別情報とが、対応付けられて記憶される。
【００４９】
図５（c）の配置情報３９は、図５（d）に示すような２画面表示をしている場合の設定値を示している。
図５（c）の表示画面情報２５の場合は、表示モード３７が「複数分割表示」で、画面数３８が２である。また、配置情報３９として、左側の表示画面Ｇ１に対して、入力端子の番号Ｔ１と信号種別情報ＨＤＭＩ−０１とが、対応付けて記憶され、右側の表示画面Ｇ２に対して、入力端子の番号Ｔ２と信号種別情報ＤＳＵＢ−０１とが、対応付けて記憶される。
表示画面の数や、画面の配置等が変更された場合に、表示画面情報２５は、変更後の画面表示状態に対応して更新される。
【００５０】
入力検出情報２６は、接触情報と分割画面情報とから検出した接触操作に関係する情報であり、たとえば、図６に示すように、始点位置４０、終点位置４１、タップ数４２、移動距離４３、移動方向４４、画面位置判定４５を含む情報である。
始点位置４０は、接触開始位置（始点）が存在する表示画面の番号を示したものである。たとえば、接触情報２４として記憶された接触開始位置（始点）の座標値が、現在表示されている画面Ｇ１の領域内に存在する場合は、始点位置４０は、Ｇ１に設定される。
【００５１】
終点位置４１は、接触解除位置（終点）が存在する表示画面の番号を示したものである。たとえば、接触情報２４として記憶された接触解除位置（終点）の座標値が、現在表示されている画面Ｇ４の領域内に存在する場合は、終点位置４１は、Ｇ４に設定される。
タップ数４２は、タッチパネルに同時に接触された接触点の数を意味する。たとえば、接触検出部２によって、接触開始位置（始点）が、２つ検出された場合は、タップ数４２は、２に設定される。接触開始位置（始点）が、１つ検出された場合は、タップ数４２は、１に設定される。
【００５２】
移動距離４３は、接触情報２４として記憶された接触開始位置（始点）と接触解除位置（終点）との距離を意味する。接触開始位置（始点）と接触解除位置（終点）との直線距離を計算し、移動距離４３として設定する。接触開始位置（始点）と接触解除位置（終点）との移動距離４３がゼロの場合は、接触した位置と接触を解除した位置とが同じで、移動がないことが検出される。
移動方向４４は、接触開始位置（始点）から接触解除位置（終点）に向かう直線の方向を意味し、この直線の向きや、Ｘ軸に対する角度などを設定する。たとえば、接触開始位置（始点）から接触解除位置（終点）に向かう直線の方向が、表示パネルの右上方向である場合や、Ｘ軸の正方向に対して６０度の方向の場合は、移動方向４４として、「右上」を意味する情報を設定する。
【００５３】
画面位置判定４５は、接触開始位置（始点）と接触解除位置（終点）とが、同一の画面内に属するか、あるいは異なる画面に属するかを示す情報である。すなわち、上記のように設定された始点位置４０と終点位置４１が、同一か否かを判定した情報である。
たとえば、始点位置４０と終点位置４１が、どちらもＧ１である場合は、「同一画面」を意味する情報が設定される。また、始点位置４０がＧ１で、終点位置４１がＧ２である場合は、「相違画面」を意味する情報が設定される。
【００５４】
図６に、入力検出情報２６の一実施例の説明図を示す。
図６（a）には、入力検出情報２６の６つの例を示しているが、これに限るものではない。
図６（b）から図６（g）には、接触操作の６つの例を示している。
図６（b）は、接触開始位置（始点）と接触解除位置（終点）とが同じ位置の場合を示しており、この場合は、図６（a）のNo.1の入力検出情報２６が設定され、記憶部２０に記憶される。
【００５５】
図６（c）は、接触開始位置（始点）の位置が画面Ｇ１にあり、接触解除位置（終点）の位置が画面Ｇ４にあり、接触開始位置（始点）と接触解除位置（終点）とが異なる画面に属する場合で、移動方向が右下の場合を示している。この場合は、図６（a）のNo.２の入力検出情報２６が設定され、記憶部２０に記憶される。
【００５６】
同様に、図６（d）から図６（g）のような接触操作をした場合は、それぞれ、図６（a）のNo.３からNo.６までの入力検出情報２６が設定され、記憶部２０に記憶される。
タップ数４２が２つの場合の図６（f）と図６（g）では、たとえば、２つの接触位置の移動方向が逆であることと、斜め方向の移動、または水平方向への移動であることが記憶される。
このようなタップ数４２、移動距離４３、移動方向４４、画面位置判定４５などに基づいて、画面切替処理の内容が決定される。
【００５７】
操作判定情報２１は、ユーザが行った接触操作を判定し、その接触操作に対応する画面切替処理を決定するための情報である。操作判定情報２１は、記憶部２０に予め記憶される情報であるが、ユーザが独自に、操作判定情報２１を設定変更できるようにしてもよい。
操作判定情報２１は、主として、上記した現在の表示モードと、ユーザの接触操作と、画面切替処理（実行処理）とを対応付けた情報である。また、接触操作を判断するために、たとえば、入力検出情報２６のタップ数４２、移動距離４３、移動方向４４、画面位置判定４５が利用される。
現在の表示モードと接触操作とがわかれば、操作判定情報２１により、実行処理が決定される。
【００５８】
図７に、操作判定情報２１の一実施例の説明図を示す。
図７には、操作判定情報２１の１３個の例を示しているが、これに限るものではない。
図７において、現在の表示モードは、表示画面情報２５の表示モード３７に相当する。
また、図７のタップ数、接触位置の移動の有無、接触位置の移動方向、始点と終点の画面位置判定は、それぞれ、入力検出情報２６のタップ数４２、移動距離４３、移動方向４４、画面位置判定４５に相当する。
【００５９】
図７の接触操作は、タップ数、接触位置の移動の有無、接触位置の移動方向、始点と終点の画面位置判定から決定される操作名称を示したものである。ここで、接触操作としては、タップ、フリック、スワイプ、ダブルタップの４つを示している。ただし、これに限るものではない。
タップは、タッチパネルの同じ位置で、接触（タッチダウン）し、その接触を解除（タッチアップ）する操作を意味する。
【００６０】
この発明で、フリックは、たとえば指でタッチパネルの特定の一点に接触（タッチダウン）した後、指をタッチパネルに接触したまま、離さずに移動させ、接触（タッチダウン）した位置と異なる位置で指を離す（タッチアップ）操作を意味する。
この発明で、スワイプは、２点に同時に接触し、２つの接触位置を異なる方向に移動させる操作を意味する。
ダブルタップは、所定の短い期間内に、タッチパネルのほぼ同じ位置で、２回、タップ操作を行うことを意味する。マウスの操作におけるダブルクリックは、このダブルタップに相当する。
【００６１】
まず、図７の接触判定情報２１のうち、表示部３に単画面表示をしている場合において、入力操作判定部８が、ユーザの接触操作を、接触開始位置と接触解除位置とがほぼ同じ位置であるタップ操作であるか、あるいは、接触開始位置と接触解除位置とが異なる位置であるフリック操作であると判定した場合、単画面表示から、２以上の画面数からなる複数分割表示に切り替える画面切替処理をすることに決定する。
【００６２】
たとえば、図７のNo.1の接触操作については、単画面表示状態において、タップ数が１であること、接触位置の移動が無いこと、接触位置の移動方向も検出されないこと、始点と終点の画面位置が同一であることから、その接触操作は、タップと判定される。
また、ユーザの行った接触操作が、No.1のタップと判定された場合は、単画面表示を４画面表示に切り替える処理が実行されることになる。
【００６３】
また、図７のNo.2の接触操作については、単画面表示状態において、タップ数が１であること、接触位置の移動が有ること、接触位置の移動方向が検出されていること、始点と終点の画面位置が同一であることから、その接触操作は、No.2のフリックと判定される。
ユーザの行った接触操作が、No.2のフリックと判定された場合は、単画面表示を４画面表示に切り替え、単画面表示されていた画面は、４画面表示の４つの位置のうち、検出された移動方向の位置に表示させる処理が実行されることになる。
【００６４】
次に、図７の接触判定情報２１のうち、表示部３に単画面表示をしている場合において、入力操作判定部８が、ユーザの接触操作を、接触開始位置と接触解除位置とがそれぞれ２箇所あり、接触開始位置と接触解除位置とが異なる位置にあるスワイプ操作であると判定した場合、単画面表示から、２つの画面からなる複数分割表示に切り替える画面切替処理をすることに決定する。
【００６５】
たとえば、図７のNo.3の接触操作については、単画面表示状態において、タップ数が２であること、接触位置の移動が有ること、接触位置の移動方向が検出され斜め方向であること、始点と終点の画面位置が同一であることから、その接触操作は、No.3のスワイプと判定される。ユーザの行った接触操作が、No.3のスワイプと判定された場合は、単画面表示を、２画面表示のうちＰＩＰ表示に切り替える処理が実行されることになる。
【００６６】
また、図７のNo.4の接触操作については、単画面表示状態において、タップ数が２であること、接触位置の移動が有ること、接触位置の移動方向が検出され水平方向であること、始点と終点の画面位置が同一であることから、その接触操作は、No.4のスワイプと判定される。ユーザの行った接触操作が、No.4のスワイプと判定された場合は、単画面表示を、２画面表示のうちＰＢＰ表示に切り替える処理が実行されることになる。
【００６７】
次に、図７の接触判定情報２１のうち、表示部３に４画面や２画面などの複数分割表示をしている場合において、入力操作判定部８が、ユーザの接触操作を、接触開始位置と接触解除位置とがほぼ同じ位置であるダブルタップ操作であると判定した場合、複数分割表示から、単画面表示に切り替える画面切替処理をすることに決定する。
【００６８】
たとえば、図７のNo.5の接触操作については、４画面表示状態において、タップ数が１であること、接触位置の移動が無いこと、接触位置の移動方向も検出されないこと、始点と終点の画面位置が同一であることから、その接触操作は、No.5のダブルタップと判定される。
ユーザの行った接触操作が、No.5のダブルタップと判定された場合は、４画面表示を単画面表示に切り替え、４画面表示の時にタップした位置に表示されていた画面のみを表示させる処理が実行されることになる。
【００６９】
次に、図７の接触判定情報２１のうち、表示部３に複数分割表示をしている場合において、入力操作判定部が、ユーザの接触操作を、前記接触開始位置と接触解除位置が属する表示画面が異なり接触位置の異なる画面への移動を伴うフリック操作であると判定した場合、接触開始位置と接触解除位置が属するそれぞれの表示画面の表示位置を入れ替える画面切替処理をすることに決定する。
【００７０】
たとえば、図７のNo.6の接触操作については、４画面表示状態において、タップ数が１であること、接触位置の移動が有ること、接触位置の移動方向が検出されていること、始点と終点の画面位置が相違することから、その接触操作は、No.6のフリックと判定される。
ユーザの行った接触操作が、No.6のフリックと判定された場合は、４画面表示のうち、接触位置の始点と終点が属する２つの画面の配置を相互に変更させる処理が実行されることになる。
【００７１】
また、図７のNo.7の接触操作については、４画面表示状態において、タップ数が１であること、接触位置の移動が有ること、接触位置の移動方向が検出され画面の外側方向であること、始点と終点の画面位置が同一であることから、その接触操作は、No.7のフリックと判定される。
ユーザの行った接触操作が、No.7のフリックと判定された場合は、４画面表示のうち、接触位置の始点と終点が属する画面の位置に表示される画像の入力信号を切り替える処理が実行されることになる。
【００７２】
＜接触操作と画面切替処理の実施例の説明＞
図７に示したいくつかの操作判定情報２１の接触操作が行われた場合に、どのような画面切替処理が行われるかについて、以下に、それぞれの実施例の概略説明を示す。
図７のNo.1からNo.13が、実施例の番号に対応する。
図８および図９に、単画面表示から、４画面表示に切り替えるための操作の一実施例の説明図を示す。
【００７３】
（実施例１）
図８の（a-1）から（a-4）と、図９の（a-1）から（a-4）は、図７のNo.1に対応する実施例１について、単画面表示から４画面表示に切り替えるための操作と画面の切替を示している。
図８（a-1）は、単画面表示状態を示している。ここでは、画面番号Ｇ１の画像が、表示パネル全体に表示されているものとする。この状態では、表示画面情報２５には、表示モードが「単画面」で、画面数が１で、配置情報として、画面番号Ｇ１と現在表示されている画像に対応する入力端子と信号種別情報とが記憶されている。
【００７４】
図８（a-2）において、ユーザがタッチパネルに接触し、接触開始位置（始点）Ｐ１が検出された状態を示している。
図８（a-3）において、ユーザが、始点と同じ位置で、タッチパネルの接触を解除し、接触解除位置（終点）Ｐ２が検出された状態を示している。
これにより、接触検出部２によって接触情報２４が取得され、さらに接触位置取得部７によって入力検出情報２６が取得され、記憶部２０に記憶される。
取得された入力検出情報２６と操作判定情報２１とを比較することにより、単画面表示で始点と終点とが同一画面位置にあるので、接触操作は、図７の操作判定情報２１のNo.1のタップであると判定される。
【００７５】
また、操作判定情報２１のNo.1から、接触操作に対応する実行処理は、４画面表示への切替処理なので、図８（a-4）に示すように、４画面表示が行われる。
図８（a-4）では、左上の表示領域には、単画面表示されていた画面Ｇ１が縮小されて分割表示され、その他の３つの表示領域には、他の画面（Ｇ２、Ｇ３、Ｇ４）が表示された状態を示している。
他の画面に表示される画像としては、たとえば、入力端子に入力されている複数の映像信号のうち、任意の映像信号による画像を表示すればよい。また、ユーザが、他の画面に表示される画像の映像信号を選択してもよい。
【００７６】
また、４画面の分割表示が行われた場合、表示画面情報２５が、現在の表示画面の情報に更新される。
表示画面情報２５の表示モード３７が「複数分割表示」に更新され、画面数３８が４に更新される。さらに、映像信号情報２３として入力端子と信号種別情報とが予め対応付けて記憶されているので、表示画面情報２５の配置情報３９として、４画面表示の４つの画面の番号と、入力端子と信号種別情報とが、それぞれ対応付けて記憶される。
【００７７】
図８の（a-2）と（a-3）に示したタップ操作をした場合、その接触操作は、予め設定された図７の操作判定情報２１のNo.1に対応することが自動的に判定されるので、ユーザは、タップ操作をするだけで、容易かつ迅速に、画面表示を意図したものに切り替えることができ、ユーザの操作負担を軽減できる。
【００７８】
次に、図９（a-1）は、図８（a-1）と同様に、単画面表示状態を示し、図９（a-2）は、図８（a-2）と同様に、ユーザがタッチパネルに接触し接触開始位置（始点）Ｐ１が検出された状態を示している。ここで、接触開始位置（始点）Ｐ１は、もし４画面表示をしていたら、右下の分割画面の表示領域の中に属するものとする。
【００７９】
図９（a-3）において、ユーザが、始点と同じ位置で、タッチパネルの接触を解除し、接触解除位置（終点）Ｐ２が検出された状態を示している。
これにより、接触検出部２によって接触情報２４が取得され、さらに接触位置取得部７によって入力検出情報２６が取得され、記憶部に記憶される。
取得された入力検出情報２６と操作判定情報２１とを比較することにより、単画面表示で始点と終点とが同一画面位置にあるので、接触操作は、図７の操作判定情報２１のNo.1のタップであると判定される。
また、タップ操作なので、接触解除位置（終点）Ｐ２も、接触開始位置（始点）Ｐ１と同様に、右下の分割画面の表示領域の中に属する。
【００８０】
したがって、操作判定情報２１のNo.1から、接触操作に対応する処理は、４画面表示への切替処理なので、図９（a-4）に示すように、４画面表示が行われる。
ただし、図９（a-4）では、ユーザがタップした始点と終点の位置は、もし４画面表示をしていたら、右下の分割画面の表示領域の中に属するので、単画面表示されていた画面Ｇ１を、右下の分割画面の表示領域の中に分割表示させている。その他の３つの表示領域には、他の画面（Ｇ２、Ｇ３、Ｇ４）が表示された状態を示している。
この場合は、ユーザがタップした位置が、単画面表示されていた画面Ｇ１を分割表示させる位置に設定される。
【００８１】
すなわち、単画面表示から４画面表示に切り替えようとする場合、単画面表示されていた画面Ｇ１を表示させたい表示領域の位置に、ユーザがタップ操作をすることによって、単画面表示されていた画面Ｇ１を分割表示させる位置も、容易に、設定することができる。
【００８２】
（実施例２）
図８の（b-1）から（b-4）、図８の（c-1）から（c-4）、図９の（b-1）から（b-4）は、図７のNo.2に対応する実施例２について、単画面表示から４画面表示に切り替えるための操作と画面の切替を示している。
図８（b-1）は、図８（a-1）と同様に、単画面表示状態を示し、図８（b-2）は、図８（a-2）と同様に、ユーザがタッチパネルに接触し接触開始位置（始点）Ｐ１が検出された状態を示している。
【００８３】
図８（b-3）において、ユーザが、始点と異なる位置で、タッチパネルの接触を解除し、接触解除位置（終点）Ｐ２が検出された状態を示している。ここでは、ユーザが、右下方向にフリック操作した場合を示している。この場合、同一画面位置で接触と解除がされ、タップ数は１で、移動有りで、移動方向が右下方向と取得される。
したがって、取得された入力検出情報２６と操作判定情報２１とを比較することにより、接触操作は、図７の操作判定情報２１のNo.2のフリックであると判定される。
【００８４】
また、操作判定情報２１のNo.2から、接触操作に対応する処理は、４画面表示への切替処理なので、図８（b-4）に示すように、４画面表示が行われる。さらに、接触位置の移動方向が右下方向なので、検出移動方向である右下の位置に、単画面表示されていた画面Ｇ１が縮小されて分割表示される。また、その他の３つの表示領域には、他の画面（Ｇ２、Ｇ３、Ｇ４）が表示された状態を示している。
【００８５】
次に、図８（c-1）は、図８（a-1）と同様に、単画面表示状態を示し、図８（c-2）は、図８（a-2）と同様に、ユーザがタッチパネルに接触し接触開始位置（始点）Ｐ１が検出された状態を示している。
【００８６】
図８（c-3）において、ユーザが、始点と異なる位置で、タッチパネルの接触を解除し、接触解除位置（終点）Ｐ２が検出された状態を示している。ここでは、図８（b-3）と異なり、ユーザが、左下方向にフリック操作した場合を示している。
また、接触解除位置（終点）Ｐ２の位置は、もし４画面表示をしていたら、左下の分割画面の表示領域の中に属するものとする。
この場合、同一画面位置で接触と解除がされ、タップ数は１で、移動有りで、移動方向が左下方向と取得される。
【００８７】
したがって、取得された入力検出情報２６と操作判定情報２１とを比較することにより、接触操作は、図７の操作判定情報２１のNo.2のフリックであると判定される。
また、操作判定情報２１のNo.2から、接触操作に対応する処理は、４画面表示への切替処理なので、図８（c-4）に示すように、４画面表示が行われる。
【００８８】
ただし、図８（b-3）と異なり、接触位置の移動方向が左下方向であり、接触解除位置（終点）Ｐ２の位置が、もし４画面表示をしていたら、左下の分割画面の表示領域の中に属するので、検出移動方向である左下の位置に、単画面表示されていた画面Ｇ１が縮小されて分割表示される。
単画面表示されていた画面Ｇ１を分割表示させる位置は、接触位置の移動方向によって決めてもよいが、接触解除位置（終点）Ｐ２の位置も利用して決めてもよい。
また、次のように、接触位置の移動方向によらず、接触解除位置（終点）Ｐ２の位置を利用して、単画面表示されていた画面Ｇ１を分割表示させる位置を決めてもよい。
【００８９】
次に、図９（b-1）は、図８（a-1）と同様に、単画面表示状態を示し、図９（b-2）は、図８（a-2）と同様に、ユーザがタッチパネルに接触し接触開始位置（始点）Ｐ１が検出された状態を示している。
【００９０】
図９（b-3）において、ユーザが、始点と異なる位置で、タッチパネルの接触を解除し、接触解除位置（終点）Ｐ２が検出された状態を示している。
ここでは、ユーザが、右上方向にフリック操作した場合を示している。また、接触解除位置（終点）Ｐ２の位置は、もし４画面表示をしていたら、左上の分割画面の表示領域の中に属するものとする。
この場合、同一画面位置で接触と解除がされ、タップ数は１で、移動有りで、移動方向が右上方向と取得される。
したがって、取得された入力検出情報２６と操作判定情報２１とを比較することにより、接触操作は、図７の操作判定情報２１のNo.2のフリックであると判定される。
【００９１】
また、操作判定情報２１のNo.2から、接触操作に対応する処理は、４画面表示への切替処理なので、図９（b-4）に示すように、４画面表示が行われる。
ただし、単画面表示されていた画面Ｇ１を分割表示させる位置を決めるために、移動方向ではなく、接触解除位置（終点）Ｐ２の位置を利用するものとすると、左上の分割画面の表示領域の位置に、単画面表示されていた画面Ｇ１が縮小されて分割表示される。
【００９２】
（実施例３）
図１０に、単画面表示から、２画面表示に切り替えるための操作の一実施例の説明図を示す。
図１０の（a-1）から（a-4）は、図７のNo.3に対応する実施例３について、単画面表示から２画面表示（ＰＩＰ表示）に切り替えるための操作と画面の切替を示している。
図１０（a-1）は、図８（a-1）と同様に、単画面表示状態を示し、図１０（a-2）は、ユーザが、たとえば２つの指でタッチパネルに接触し、２つの接触開始位置（始点）Ｐ１が検出された状態を示している。
【００９３】
図１０（a-3）は、２つの指をタッチパネルに接触したままスワイプ操作をした後、タッチパネルの接触を解除し、２つの接触解除位置（終点）Ｐ２が検出された状態を示している。ここでのスワイプ操作は、表示画面に対して斜め方向にするものとする。図１０（a-3）では、斜め左上方向と、斜め右下方向に、スワイプ操作をした場合を示している。
この場合、同一画面位置で接触と解除がされ、タップ数は２で、移動有りで、移動方向が斜め左上方向および斜め右下方向と取得される。
したがって、取得された入力検出情報２６と操作判定情報２１とを比較することにより、接触操作は、図７の操作判定情報２１のNo.3のスワイプであると判定される。
【００９４】
また、操作判定情報２１のNo.3から、接触操作に対応する処理は、２画面表示のうち、ＰＩＰ表示への切替処理なので、図１０（a-4）に示すように、ＰＩＰ表示が行われる。すなわち、単画面表示Ｇ１をしたまま、表示画面Ｇ１の中に、小さな表示領域を持つ表示画面Ｇ２を同時に表示する。
表示画面Ｇ２を表示する位置は、予め設定しておいてもよいが、たとえば、２つの接触解除位置（終点）Ｐ２のうち、どちらかの近傍の位置に設定してもよい。また、表示画面Ｇ１の中に表示する画面は、入力された映像信号に対応する画面のうち任意の画面を自動的に選択してもよく、あるいは、ユーザによって所望の画面を選択できるようにしてもよい。
このように、ユーザは、所定のスワイプ操作をするだけで、容易かつ迅速に、画面表示を意図したものに切り替えることができ、ユーザの操作負担を軽減できる。
【００９５】
また、図１０（c-1）に示すように、単画面表示から２画面表示に切り替えるために、ユーザが２つの始点でタッチパネルに接触した場合、２画面切替操作説明画面を表示してもよい。２画面切替操作説明画面は、図１０（a-2）や図１０（b-2）のように、２つの接触開始位置（始点）Ｐ１が検出された時点で、ユーザの接触操作の邪魔にならない任意の位置に表示すればよい。
【００９６】
２画面表示には、上記したように、ＰＩＰ表示とＰＢＰ表示があるので、２点で接触した後どのようなスワイプ操作をすれば、ＰＩＰ表示になるのか、あるいはＰＢＰ表示になるのかを、予めユーザが理解しておく必要がある。そこで、２画面表示に切り替えるユーザの操作を容易なものとするために、表示パネルに、２画面切替操作説明画面を表示する。図１０（c-2）に、２画面切替操作説明画面の一実施例を示す。
【００９７】
図１０（c-2）では、斜め方向に傾いた逆方向の２つの矢印が、表示画面に対して斜め方向のスワイプ操作をすることを意味し、斜め方向のスワイプ操作をした場合、ＰＩＰ表示への切替が行われることを示している。
また、水平方向で向きが逆方向の２つの矢印が、表示画面に対して水平方向のスワイプ操作をすることを意味し、水平方向のスワイプ操作をした場合、ＰＢＰ表示への切替が行われることを示している。
【００９８】
（実施例４）
図１０の（b-1）から（b-4）は、図７のNo.4に対応する実施例４について、単画面表示から２画面表示（ＰＢＰ表示）に切り替えるための操作と画面の切替を示している。
図１０（b-1）は、図８（a-1）と同様に、単画面表示状態を示し、図１０（b-2）は、図１０（a-2）と同様に、ユーザが、２つの指でタッチパネルに接触し、２つの接触開始位置（始点）Ｐ１が検出された状態を示している。
図１０（b-2）の場合も、図１０（c-2）に示したような２画面切替操作説明画面を、表示してもよい。
【００９９】
図１０（b-3）は、２つの指をタッチパネルに接触したままスワイプ操作をした後、タッチパネルの接触を解除し、２つの接触解除位置（終点）Ｐ２が検出された状態を示している。ここでのスワイプ操作は、表示画面に対してほぼ水平方向にするものとする。図１０（b-3）では、左右の水平方向に、スワイプ操作をした場合を示している。
この場合、同一画面位置で接触と解除がされ、タップ数は２で、移動有りで、移動方向が水平方向と取得される。
したがって、取得された入力検出情報２６と操作判定情報２１とを比較することにより、接触操作は、図７の操作判定情報２１のNo.4のスワイプであると判定される。
【０１００】
また、操作判定情報２１のNo.4から、接触操作に対応する処理は、２画面表示のうち、ＰＢＰ表示への切替処理なので、図１０（b-4）に示すように、ＰＢＰ表示が行われる。すなわち、表示される２画面のうち、どちらか一方の画面を、単画面表示していた画面Ｇ１とし、２つの画面Ｇ１とＧ２を、横方向に並置して、同時に表示する。
また、単画面表示していた画面Ｇ１と異なるもう一つの画面は、入力された映像信号に対応する画面のうち任意の画面を自動的に選択してもよく、あるいは、ユーザによって所望の画面を選択できるようにしてもよい。
【０１０１】
（実施例５）
図１１（a-1）から（a-4）に、４画面表示から、単画面表示に切り替えるための操作の一実施例の説明図を示す。
図１１の（a-1）から（a-4）は、図７のNo.5に対応する実施例５について、４画面表示から単画面表示に切り替えるための操作と画面の切替を示している。
図１１（a-1）は、４つの画面（Ｇ１からＧ４）を分割表示した４画面表示状態を示している。図１１（a-2）は、ユーザが、タッチパネルに接触し、接触開始位置（始点）Ｐ１が検出された状態を示している。ここでは、４つの画面のうち、左下の画面Ｇ３の表示領域に対応するタッチパネルに接触した場合を示している。
【０１０２】
図１１（a-3）において、ユーザが、始点と同じ位置で、ダブルタップし、タッチパネルの接触を解除し、接触解除位置（終点）Ｐ２が検出された状態を示している。
この場合、接触開始位置と接触解除位置は、どちらも画面Ｇ３内で同一画面であり、接触位置の移動もないことが検出され、接触位置取得部７によって入力検出情報２６が取得され、記憶部に記憶される。
取得された入力検出情報２６と操作判定情報２１とを比較することにより、４画面表示状態で行われた接触操作は、図７の操作判定情報２１のNo.5のダブルタップであると判定される。
【０１０３】
また、操作判定情報２１のNo.5から、接触操作に対応する処理は、４画面表示から単画面表示への切替処理なので、図１１（a-4）に示すように、単画面表示が行われる。また、ダブルタップ操作された位置に表示されていた画面が、単画面表示される。ここでは、画面Ｇ３内でのダブルタップ操作なので、接触位置の画面Ｇ３が、単画面表示される。
このように、ユーザは、所定のダブルタップ操作をするだけで、容易かつ迅速に、画面表示を意図したものに切り替えることができ、ユーザの操作負担を軽減できる。
【０１０４】
（実施例６）
図１１（b-1）から（b-4）と、図１１（c-1）から（c-4）に、４画面表示において、分割画面の配置を変更するための操作の一実施例の説明図を示す。
図１１（b-1）は、図１１（a-1）と同様に、４つの画面（Ｇ１からＧ４）を分割表示した４画面表示状態を示している。
図１１（b-2）は、ユーザが、タッチパネルに接触し、接触開始位置（始点）Ｐ１が検出された状態を示している。ここでは、４つの画面のうち、左上の画面Ｇ１の表示領域に対応するタッチパネルに接触した場合を示している。
【０１０５】
図１１（b-3）において、ユーザが、タッチパネルに接触したまま接触位置を移動させ、接触位置の画面Ｇ１と異なる画面でタッチパネルの接触を解除し、接触解除位置（終点）Ｐ２が検出された状態を示している。図１１（b-3）では、ユーザは、右下方向にいわゆるフリック操作をして、右下の画面Ｇ４の表示領域内で、タッチパネルの接触を解除している。
この場合、接触開始位置（始点）と接触解除位置（終点）は、異なる画面であり、タップ数は１で、接触位置の移動があり、移動方向が右下方向であることが検出され、接触位置取得部７によって入力検出情報２６が取得され、記憶部に記憶される。
【０１０６】
取得された入力検出情報２６と操作判定情報２１とを比較することにより、４画面表示状態で行われた接触操作は、図７の操作判定情報２１のNo.6のフリックであると判定される。
また、操作判定情報２１のNo.6から、接触操作に対応する処理は、４画面表示における２つの分割画面の配置変更操作であると判断され、図１１（b-4）に示すように、接触および接触解除された位置にある２つの分割画面の配置が変更される。ここでは、接触開始位置（始点）が画面Ｇ１であり、接触解除位置（終点）が画面Ｇ４であるので、画面Ｇ１と画面Ｇ４の表示位置が入れ替えられる。
【０１０７】
次に、図１１（c-1）から（c-4）も、４画面表示において、分割画面の配置を変更するための操作の一実施例を示している。
図１１（c-1）は、図１１（a-1）と同様に、４つの画面（Ｇ１からＧ４）を分割表示した４画面表示状態を示している。
図１１（c-2）は、ユーザが、タッチパネルに接触し、接触開始位置（始点）Ｐ１が検出された状態を示している。ここでは、４つの画面のうち、右下の画面Ｇ４の表示領域に対応するタッチパネルに接触した場合を示している。
【０１０８】
図１１（c-3）において、ユーザが、タッチパネルに接触したまま接触位置を移動させ、接触位置の画面Ｇ４と異なる画面でタッチパネルの接触を解除し、接触解除位置（終点）Ｐ２が検出された状態を示している。図１１（c-3）では、ユーザは、左方向にフリック操作をして、左下の画面Ｇ３の表示領域内で、タッチパネルの接触を解除している。
この場合、接触開始位置（始点）と接触解除位置（終点）は、異なる画面であり、タップ数は１で、接触位置の移動があり、移動方向が左方向であることが検出され、接触位置取得部７によって入力検出情報２６が取得され、記憶部に記憶される。
【０１０９】
取得された入力検出情報２６と操作判定情報２１とを比較することにより、４画面表示状態で行われた接触操作は、図７の操作判定情報２１のNo.6のフリックであると判定される。
【０１１０】
また、操作判定情報２１のNo.6から、接触操作に対応する処理は、４画面表示における２つの分割画面の配置変更処理であると判断され、図１１（c-4）に示すように、接触および接触解除された位置にある２つの分割画面の配置が変更される。ここでは、接触開始位置（始点）が画面Ｇ４であり、接触解除位置（終点）が画面Ｇ３であるので、画面Ｇ３と画面Ｇ４の表示位置が入れ替えられる。
このように、ユーザは、所定のフリック操作をするだけで、容易かつ迅速に、画面表示を意図したものに切り替えることができ、ユーザの操作負担を軽減できる。
【０１１１】
（実施例７）
図１２に、４画面表示において、分割画面に表示する入力信号を選択入力するための操作の一実施例の説明図を示す。
まず、図１２（a-1）は、図１１（a-1）と同様に、４つの画面（Ｇ１からＧ４）を分割表示した４画面表示状態を示している。
また、左上の画面Ｇ１には、入力信号の信号種別がＨＤＭＩ−０１の画像が表示され、右上の画面Ｇ２には、入力信号の信号種別がＤＳＢ−０１の画像が表示され、左下の画面Ｇ３には、入力信号の信号種別がＤＶＩ−０１の画像が表示され、右下の画面Ｇ４には、入力信号の信号種別がＨＤＭＩ−０２の画像が表示されているものとする。
【０１１２】
図１２（a-2）は、ユーザが、タッチパネルに接触し、接触開始位置（始点）Ｐ１が検出された状態を示している。ここでは、４つの画面のうち、右上の画面Ｇ２の表示領域に対応するタッチパネルに接触した場合を示している。
図１２（a-3）において、ユーザが、タッチパネルに接触したまま接触位置を移動させ、接触位置と同じ画面Ｇ２でタッチパネルの接触を解除し、接触解除位置（終点）Ｐ２が検出された状態を示している。図１２（a-3）では、ユーザは、画面Ｇ２の表示領域内で、その画面の外側方向（右上方向）にフリック操作をして、タッチパネルの接触を解除している。
【０１１３】
この場合、接触開始位置（始点）と接触解除位置（終点）は、同じ画面内であり、タップ数は１で、接触位置の移動があり、移動方向が画面の外側方向であることが検出され、接触位置取得部７によって入力検出情報２６が取得され、記憶部に記憶される。
取得された入力検出情報２６と操作判定情報２１とを比較することにより、４画面表示状態で行われた接触操作は、図７の操作判定情報２１のNo.7のフリックであると判定される。
【０１１４】
また、操作判定情報２１のNo.7から、接触操作に対応する処理は、４画面表示のうち、接触された位置の画面Ｇ２における入力信号の切替処理であると判断され、まず、図１２（a-4）に示すように、入力信号リストメニューの画面が表示される。
入力信号リストメニューは、現在、複数の入力端子にそれぞれ入力されている映像信号の信号種別を示したものである。図１２（a-4）では、現在入力されている６つの映像信号の種別を示している。入力信号リストメニューは、入力信号を切り替える画面Ｇ２の中、あるいは、画面Ｇ２の近傍に表示すればよい。
【０１１５】
入力信号リストメニューを確認したユーザは、入力信号リストメニューの映像信号種別から、画面Ｇ２に表示させる所望の映像信号種別を選択入力する。すなわち、所望の映像信号種別が表示されている領域のタッチパネルに接触する。
図１２（a-4）では、「ＨＤＭＩ−０３」を、接触入力した状態を示している。
所望の映像信号種別が選択されると、図１２（a-5）に示すように、接触された位置の画面Ｇ２に、選択された映像信号種別の入力信号「ＨＤＭＩ−０３」の画像が表示される。
以上のように、図１２（a-2）から図１２（a-4）の操作をすることにより、接触された位置の画面Ｇ２に表示されていた画像「ＤＳＢ−０１」を、ユーザが選択した所望の画像「ＨＤＭＩ−０３」に切り替えることができる。
【０１１６】
次に、図１２（b-1）から図１２（b-3）は、すでに表示されている入力信号の表示位置を変更する場合を示している。
図１２（b-1）は、ユーザが、右下の画面Ｇ４の表示領域に接触した後、タッチパネルに接触したまま接触位置を移動させ、接触位置と同じ画面Ｇ４で接触を解除した場合を示している。
この場合、接触開始位置（始点）Ｐ１と接触解除位置（終点）Ｐ２は、同じ画面Ｇ４内であることが検出され、タップ数は１で、接触位置の移動があり、移動方向がその画面の外側方向（右上方向）であることが検出され、接触位置取得部７によって入力検出情報２６が取得され、記憶部に記憶される。
【０１１７】
取得された入力検出情報２６と操作判定情報２１とを比較することにより、４画面表示状態で行われた接触操作は、図７の操作判定情報２１のNo.7のフリックであると判定される。
したがって、図１２（a-3）と同様に、操作判定情報２１のNo.7から、接触操作に対応する処理は、４画面表示のうち、接触された位置の画面Ｇ４における入力信号の切替処理であると判断され、図１２（b-2）に示すように、入力信号リストメニューの画面が表示される。
【０１１８】
入力信号リストメニューには、複数の入力端子にそれぞれ入力されている映像信号の信号種別が表示されるので、ユーザが、画面Ｇ４に表示させたい所望の映像信号種別が表示されている領域を選択入力する。
図１２（b-2）では、入力信号リストメニューの「ＤＶＩ−０１」の部分を、接触入力した状態を示している。
【０１１９】
ＤＶＩ−０１は、すでに画面Ｇ３に表示されている画像の信号種別であるので、画面Ｇ３と画面Ｇ４に表示されている画像を入れ替える。
すなわち、図１２（b-3）に示すように、画面Ｇ３に表示されていた「ＤＶＩ−０１」と、画面Ｇ４に表示されていた「ＨＤＭＩ−０２」との表示位置を入れ替え、画面Ｇ３に、「ＨＤＭＩ−０２」の画像を表示し、画面Ｇ４に、「ＤＶＩ−０１」の画像を表示させる。
このように、ユーザは、所定のフリック操作と信号選択操作をするだけで、容易かつ迅速に、画面表示を意図したものに切り替えることができ、ユーザの操作負担を軽減できる。
【０１２０】
（実施例８）
図１３（a-1）から図１３（a-4）に、２画面表示から、単画面表示に切り替えるための操作の一実施例の説明図を示す。
図１３の（a-1）から（a-4）は、図７のNo.8に対応する実施例８について、２画面表示であるＰＩＰ表示から、単画面表示に切り替えるための操作と画面の切替を示している。
図１３（a-1）は、２つの画面（Ｇ１、Ｇ２）をＰＩＰ表示した２画面表示状態を示している。
図１３（a-2）は、ユーザが、タッチパネルに接触し、接触開始位置（始点）Ｐ１が検出された状態を示している。ここでは、画面Ｇ１の表示領域に対応するタッチパネルに接触した場合を示している。
【０１２１】
図１３（a-3）において、ユーザが、始点と同じ位置で、ダブルタップし、タッチパネルの接触を解除し、接触解除位置（終点）Ｐ２が検出された状態を示している。
この場合、接触開始位置と接触解除位置は、どちらも画面Ｇ１内で同一画面であり、接触位置の移動もないことが検出され、接触位置取得部７によって入力検出情報２６が取得され、記憶部に記憶される。
取得された入力検出情報２６と操作判定情報２１とを比較することにより、２画面のＰＩＰ表示状態で行われた接触操作は、図７の操作判定情報２１のNo.8のダブルタップであると判定される。
【０１２２】
また、操作判定情報２１のNo.８から、接触操作に対応する処理は、２画面表示から単画面表示への切替処理と判断され、図１３（a-4）に示すように、単画面表示が行われる。また、ダブルタップ操作された位置に表示されていた画面が、単画面表示される。ここでは、画面Ｇ１内でのダブルタップ操作なので、接触位置の画面Ｇ１が、単画面表示される。
ただし、もし、画面Ｇ２内でダブルタップ操作がされた場合は、接触開始位置と接触解除位置がどちらも画面Ｇ２内であるので、画面Ｇ２を、単画面表示させればよい。
【０１２３】
（実施例９）
図１３（b-1）から図１３（b-4）に、２画面表示において、２つの画面の位置を切り替えるための操作の一実施例の説明図を示す。
図１３の（b-1）から（b-4）は、図７のNo.9に対応する実施例９について、２画面表示であるＰＩＰ表示における２つの画面を切り替えるための操作と画面の切替を示している。
図１３（b-1）は、２つの画面（Ｇ１、Ｇ２）をＰＩＰ表示した２画面表示状態を示している。
図１３（b-2）は、ユーザが、タッチパネルに接触し、接触開始位置（始点）Ｐ１が検出された状態を示している。ここでは、画面Ｇ２の表示領域に対応するタッチパネルに接触した場合を示している。
【０１２４】
図１３（b-3）において、ユーザが、フリック操作をし、始点と異なる画面Ｇ１で、タッチパネルの接触を解除し、接触解除位置（終点）Ｐ２が検出された状態を示している。
この場合、接触位置と接触解除位置は、異なる画面であり、タップ数は１で、接触位置の移動があり、移動方向が左上方向であることが検出され、接触位置取得部７によって入力検出情報２６が取得され、記憶部に記憶される。
取得された入力検出情報２６と操作判定情報２１とを比較することにより、２画面のＰＩＰ表示状態で行われた接触操作は、図７の操作判定情報２１のNo.9のフリックであると判定される。
【０１２５】
したがって、操作判定情報２１のNo.９から、接触操作に対応する処理は、２画面のＰＩＰ表示の２つの画面の切替処理と判断され、図１３（b-4）に示すように、画面Ｇ１と画面Ｇ２との表示位置の入れ替えが行われる。
【０１２６】
（実施例１０）
図１３（c-1）から図１３（c-4）に、２画面表示において、２つの画面に表示する入力信号を選択入力するための操作の一実施例の説明図を示す。
図１３（c-1）は、２つの画面（Ｇ１、Ｇ２）をＰＩＰ表示した２画面表示状態を示している。
図１３（c-2）は、ユーザが、画面Ｇ２の表示領域に対応するタッチパネルに接触し、接触したままフリック操作をして、画面Ｇ２の表示領域内で、接触を解除した場合を示している。
【０１２７】
この場合、接触開始位置（始点）Ｐ１と接触解除位置（終点）Ｐ２は、同じ画面Ｇ２内であることが検出され、タップ数は１で、接触位置の移動があり、移動方向がその画面の外側方向（右上方向）であることが検出され、接触位置取得部７によって入力検出情報２６が取得され、記憶部に記憶される。
取得された入力検出情報２６と操作判定情報２１とを比較することにより、２画面のＰＩＰ表示状態で行われた接触操作は、図７の操作判定情報２１のNo.１０のフリックであると判定される。
【０１２８】
したがって、操作判定情報２１のNo.１０から、接触操作に対応する処理は、２画面のＰＩＰ表示のうち、接触された位置の画面Ｇ２における入力信号の切替処理であると判断され、図１３（c-3）に示すように、入力信号リストメニューの画面が表示される。
入力信号リストメニューには、複数の入力端子にそれぞれ入力されている映像信号の信号種別が表示されるので、ユーザが、画面Ｇ２に表示させたい所望の映像信号種別が表示されている領域を選択入力する。
図１３（c-3）では、入力信号リストメニューの「ＨＤＭＩ−０３」の部分を、接触入力した状態を示している。
【０１２９】
所望の映像信号種別が選択されると、図１３（c-4）に示すように、接触された位置の画面Ｇ２に、選択された映像信号種別の入力信号「ＨＤＭＩ−０３」の画像が表示される。
以上のように、図１３（c-2）から図１３（c-3）の操作をすることにより、接触された位置の画面Ｇ２に表示されていた画像「ＤＳＢ−０１」を、ユーザが選択した所望の画像「ＨＤＭＩ−０３」に切り替えることができる。
【０１３０】
（実施例１１）
図１４（a-1）から図１４（a-4）に、２画面表示から、単画面表示に切り替えるための操作の一実施例の説明図を示す。
図１４の（a-1）から（a-4）は、図７のNo.１１に対応する実施例１１について、２画面表示であるＰＢＰ表示から、単画面表示に切り替えるための操作と画面の切替を示している。
図１４（a-1）は、２つの画面（Ｇ１、Ｇ２）をＰＢＰ表示した２画面表示状態を示している。
図１４（a-2）は、ユーザが、タッチパネルに接触し、接触開始位置（始点）Ｐ１が検出された状態を示している。ここでは、画面Ｇ１の表示領域に対応するタッチパネルに接触した場合を示している。
【０１３１】
図１４（a-3）において、ユーザが、始点と同じ位置で、ダブルタップし、タッチパネルの接触を解除し、接触解除位置（終点）Ｐ２が検出された状態を示している。
この場合、接触開始位置と接触解除位置は、どちらも画面Ｇ１内で同一画面であり、接触位置の移動もないことが検出され、接触位置取得部７によって入力検出情報２６が取得され、記憶部に記憶される。
取得された入力検出情報２６と操作判定情報２１とを比較することにより、２画面のＰＢＰ表示状態で行われた接触操作は、図７の操作判定情報２１のNo.１１のダブルタップであると判定される。
【０１３２】
したがって、操作判定情報２１のNo.１１から、接触操作に対応する処理は、２画面表示から単画面表示への切替処理と判断され、図１４（a-4）に示すように、単画面表示が行われる。また、ダブルタップ操作された位置に表示されていた画面が、単画面表示される。ここでは、画面Ｇ１内でのダブルタップ操作なので、接触位置の画面Ｇ１が、単画面表示される。
ただし、もし、画面Ｇ２内でダブルタップ操作がされた場合は、接触開始位置と接触解除位置がどちらも画面Ｇ２内であるので、画面Ｇ２を、単画面表示させればよい。
【０１３３】
（実施例１２）
図１４（b-1）から図１４（b-4）に、２画面表示において、２つの画面の位置を切り替えるための操作の一実施例の説明図を示す。
図１４の（b-1）から（b-4）は、図７のNo.１２に対応する実施例１２について、２画面表示であるＰＢＰ表示における２つの画面を切り替えるための操作と画面の切替を示している。
図１４（b-1）は、２つの画面（Ｇ１、Ｇ２）をＰＢＰ表示した２画面表示状態を示している。
図１４（b-2）は、ユーザが、タッチパネルに接触し、接触開始位置（始点）Ｐ１が検出された状態を示している。ここでは、画面Ｇ１の表示領域に対応するタッチパネルに接触した場合を示している。
【０１３４】
図１４（b-3）において、ユーザが、フリック操作をし、始点と異なる画面Ｇ２で、タッチパネルの接触を解除し、接触解除位置（終点）Ｐ２が検出された状態を示している。
この場合、接触開始位置と接触解除位置は、異なる画面であり、タップ数は１で、接触位置の移動があり、移動方向が右方向であることが検出され、接触位置取得部７によって入力検出情報２６が取得され、記憶部に記憶される。
取得された入力検出情報２６と操作判定情報２１とを比較することにより、２画面のＰＢＰ表示状態で行われた接触操作は、図７の操作判定情報２１のNo.１２のフリックであると判定される。
【０１３５】
したがって、操作判定情報２１のNo.１２から、接触操作に対応する処理は、２画面のＰＢＰ表示の２つの画面の切替処理と判断され、図１４（b-4）に示すように、画面Ｇ１と画面Ｇ２との表示位置の入れ替えが行われる。
【０１３６】
（実施例１３）
図１４（c-1）から図１４（c-4）に、２画面表示において、２つの画面に表示する入力信号を選択入力するための操作の一実施例の説明図を示す。
図１４（c-1）は、２つの画面（Ｇ１、Ｇ２）をＰＢＰ表示した２画面表示状態を示している。また、ユーザが、タッチパネルに接触し、接触開始位置（始点）Ｐ１が検出された状態を示している。ここでは、画面Ｇ２の表示領域に対応するタッチパネルに接触した場合を示している。
図１４（c-2）は、ユーザが、画面Ｇ２の表示領域に対応するタッチパネルに接触し、接触したままフリック操作をして、画面Ｇ２の表示領域内で、接触を解除した場合を示している。
【０１３７】
この場合、接触開始位置（始点）Ｐ１と接触解除位置（終点）Ｐ２は、同じ画面Ｇ２内であることが検出され、タップ数は１で、接触位置の移動があり、移動方向がその画面の外側方向（右上方向）であることが検出され、接触位置取得部７によって入力検出情報２６が取得され、記憶部に記憶される。
取得された入力検出情報２６と操作判定情報２１とを比較することにより、２画面のＰＢＰ表示状態で行われた接触操作は、図７の操作判定情報２１のNo.１３のフリックであると判定される。
【０１３８】
したがって、操作判定情報２１のNo.１３から、接触操作に対応する処理は、２画面のＰＢＰ表示のうち、接触された位置の画面Ｇ２における入力信号の切替処理であると判断され、図１４（c-3）に示すように、入力信号リストメニューの画面が表示される。
入力信号リストメニューには、複数の入力端子にそれぞれ入力されている映像信号の信号種別が表示されるので、ユーザが、画面Ｇ２に表示させたい所望の映像信号種別が表示されている領域を選択入力する。
図１４（c-3）では、入力信号リストメニューの「ＨＤＭＩ−０３」の部分を、接触入力した状態を示している。
【０１３９】
所望の映像信号種別が選択されると、図１４（c-4）に示すように、接触された位置の画面Ｇ２に、選択された映像信号種別の入力信号「ＨＤＭＩ−０３」の画像が表示される。
以上のように、図１４（c-2）から図１４（c-3）の操作をすることにより、接触された位置の画面Ｇ２に表示されていた画像「ＤＳＢ−０１」を、ユーザが選択した所望の画像「ＨＤＭＩ−０３」に切り替えることができる。
【０１４０】
＜表示画面の切替処理＞
図１５に、この発明の画像表示装置における表示画面の切替処理等の一実施例のフローチャートを示す。
以下のフローチャートでは、表示パネルに、１つの画面を表示する単画面表示と、複数の画面を表示する複数分割画面表示の切替を行う。ただし、複数分割画面の数としては、一般に２以上であればよいが、説明を容易にするために、複数分割画面としては、２画面表示と、４画面表示のどちらかを行うものとする。
【０１４１】
図１５のステップS1において、ユーザが、所定の入力操作をすることにより、表示パネルに表示する画面の表示モードを設定する。
たとえば、単画面表示をするか、あるいは複数画面表示をするかを設定する。また複数画面表示をする場合は、画面数を入力する。
【０１４２】
ステップS2において、ユーザが、入力される映像信号と、表示画面の配置を設定する。
特に、複数画面表示をする場合は、入力端子番号あるいは入力端子に入力されている映像信号の種別（信号種別情報）と、表示画面の番号とを対応付ける入力をし、どの入力端子の画像を、表示パネルのどの位置に表示させるかを設定する。
また、単画面表示をさせる場合は、表示パネルに、１つの画像を全画面表示させるので、１つの信号種別情報を選択すればよい。
この設定により、図５に示したような表示画面情報２５が、記憶部２０に記憶される。
ステップS3において、上記設定に基づいて、入力された映像信号の画像を、表示パネルの設定位置に、表示させる。
【０１４３】
ステップS10において、解除監視タイマーTが起動中か否かをチェックし、解除監視タイマーTが現在起動中の場合は、ステップS12に進み、そうでない場合は、ステップS4に進む。解除監視タイマーTは、接触を解除（タッチアップ）した後の経過時間を計測するためのタイマーである。
ステップS12において、解除監視タイマーTがタイムアウトし、設定した時間が経過したか否かをチェックし、設定時間が経過した場合は、ステップS13に進み、そうでない場合は、ステップS4に進む。
【０１４４】
ステップS4において、接触入力（タッチダウン）の有無と、接触された場合の接触開始位置（始点）の検出を行う。
ステップS5において、接触入力（タッチダウン）があった場合は、ステップS6に進み、ない場合は、ステップS10に戻る。
【０１４５】
ステップS6において、接触入力（タッチダウン）を検出したので、接触開始位置（始点）３５を、記憶部２０の接触情報２４として記憶する。
ステップS7において、接触入力の解除（タッチアップ）の有無と、接触解除された場合の接触解除位置（終点）の検出を行う。
ステップS8において、接触入力の解除（タッチアップ）があった場合は、ステップS9に進み、ない場合は、ステップS7に戻る。
ステップS9において、接触入力の解除（タッチアップ）を検出したので、接触解除位置（終点）３６を、記憶部２０の接触情報２４として記憶する。
ステップS11において、解除監視タイマーTに初期値を設定し、タイマーTを起動させて所定の時間のカウントを開始させる。
解除監視タイマーTの初期値としては、たとえば、０．５秒を設定する。
その後、ステップS10に戻る。
【０１４６】
一方、設定時間が経過した場合は、ステップS13において、接触情報２４と表示画面情報２５を利用して、入力検出情報２６を取得する。この処理により、上記したようなタップ数、移動距離、移動方向、画面位置判定が取得される。
このステップS13の接触位置取得処理の詳細については、後述する図１６に示す。
【０１４７】
ステップS14において、取得した入力検出情報２６と、操作判定情報２１とを利用して、接触操作を判定する。また、操作判定情報２１を利用して、判定された接触操作に対応する画面切替処理を決定する。
これにより、接触操作が、タップ操作、フリック操作、あるいはスワイプ操作等なのかを判定し、さらに、表示画面数の変更処理をするのか、あるいは分割画面の表示位置の変更処理等をするのかが判定される。
このステップS14の入力操作判定処理の詳細については、後述する図１７から図２０に示す。
【０１４８】
ステップS15において、決定された画面切替処理を実行する。
ここでは、後述する図１７から図２０において決定された単画面表示処理や４画面表示処理などが実行される。
ただし、後述するように、画面切替処理が現在の画面表示の維持に決定された場合など、新たな画面切替処理をする必要のない場合は、何もしないで、ステップS10に戻る。
ステップS16において、表示画面情報２５を、現在の画面配置の情報に更新する。
その後、ステップS10に戻る。
【０１４９】
＜表示画面の切替処理における接触位置取得処理＞
図１６に、図１５のステップS13に示した接触位置取得処理の一実施例のフローチャートを示す。
図１６のステップS31において、記憶部２０に記憶されている接触情報２４を読み出す。
すなわち、現在取得された接触の始点と終点の位置座標を読み出す。
ステップS32において、記憶部２０に記憶されている現在の表示画面情報２５を読み出す。すなわち、現在、表示パネルに表示されている画面の表示モードと、表示画面数と、画面の配置情報とを読み出す。
【０１５０】
ステップS33において、接触情報２４を利用して、始点と終点との距離である移動距離４３を算出し、記憶部２０に記憶する。
ステップS34において、読み出した現在の表示モードが、単画面表示であるか否かをチェックし、単画面表示の場合は、ステップS35に進み、複数画面表示の場合は、ステップS39に進む。
【０１５１】
ステップS35において、始点と終点との移動距離と、記憶部２０に予め記憶されていた移動判定距離とを比較する。
移動判定距離は、接触（タッチダウン）した位置と、接触を解除（タッチアップ）した位置とが、ほぼ同じ位置であるか否かを判断するための情報である。ユーザが指などでタッチパネルに接触してタップ操作をする場合、タッチダウンした位置と、タッチアップした位置とが一致することが望ましい。しかし、タップ操作で、タッチダウンした位置と、タッチアップした位置とを、完全に一致させることは難しく、タッチアップするときに、接触位置が移動してしまう場合がある。
そこで、単なるタップ操作と、意図的な接触位置の移動を伴うフリックなどの操作とを区別するために、記憶部２０に予め移動判定距離を設定記憶しておく。移動判定距離は、一意的な数値に固定する必要はなく、任意の数値を設定すればよいが、たとえば、数ミリメートル程度の数値を設定すればよい。
【０１５２】
たとえば、始点と終点との移動距離が移動判定距離以下の場合は、接触（タッチダウン）した位置と、接触を解除（タッチアップ）した位置とが同じであると判断し、タップ操作やダブルタップ操作がされたとする。
一方、移動距離が移動判定距離よりも大きい場合は、接触（タッチダウン）した位置と、接触を解除（タッチアップ）した位置とが異なり、ユーザによって接触位置を移動させる操作がされたと判断する。
【０１５３】
ステップS36において、始点と終点との移動距離が移動判定距離よりも大きい場合は、ステップS37に進み、移動距離が移動判定距離以下の場合は、ステップS38に進む。
ステップS37において、始点と終点の座標を利用して、接触位置の移動方向４４を検出し、記憶部２０に記憶する。たとえば、始点から終点に向かう直線の方向や、この直線の表示パネルの水平方向であるＸ軸に対する角度を検出する。
【０１５４】
ステップS38において、現在の表示モードが単画面表示であるので、入力検出情報２６の画面位置判定４５を、同一に設定し、記憶部２０に記憶する。その後、処理を終了し、図１５のステップS14に進む。
【０１５５】
ステップS39において、ステップS37と同様に、始点と終点の座標を利用して、接触位置の移動方向４４を検出し、記憶部２０に記憶する。
ステップS40において、ダブルタップの有無を検出する。ここでは、たとえば、所定時間内に、接触（タッチダウン）操作と、接触解除（タッチアップ）操作とが、２回繰り返されたか否かを判断し、２回繰り返された場合に、ダブルタップがされたと判断する。
【０１５６】
ステップS41において、タッチパネルにほぼ同時に接触された位置の数を示すタップ数４２を検出し、記憶部２０に記憶する。タッチパネルに接触された位置の数が１つの場合は、タップ数４２が１であり、タッチパネルにほぼ同時に接触された位置の数が２つの場合は、タップ数４２が２である。
【０１５７】
ステップS42において、接触情報の始点が属する画面の位置を判定し、判定された画面の番号を、始点位置４０として記憶する。ここでは、始点の位置座標と、分割画面情報２２に記憶されている現在の表示モードの分割画面の表示領域とを比較し、始点の位置座標が、どの分割画面の表示領域の中に属するかを判定する。
ステップS43において、接触情報の終点が属する画面の位置を判定し、判定された画面の番号を、終点位置４１として記憶する。ここでは、終点の位置座標と、分割画面情報２２に記憶されている現在の表示モードの分割画面の表示領域とを比較し、終点の位置座標が、どの分割画面の表示領域の中に属するかを判定する。
【０１５８】
ステップS44において、上記の判定によって求められた始点が属する画面位置と終点が属する画面位置とが、同一画面内か否かをチェックする。
同一画面内の場合は、ステップS45に進み、そうでない場合は、ステップS46に進む。
ステップS45において、始点と終点との位置関係を示す入力検出情報２６の画面位置判定４５を、同一に設定し、記憶する。
ステップS46において、始点と終点との位置関係を示す入力検出情報２６の画面位置判定４５を、相違に設定し、記憶する。
ステップS45またはステップS46の処理の後、処理を終了し、図１５のステップS14に進む。
【０１５９】
＜表示画面の切替処理における入力操作判定処理＞
図１７から図２０に、図１５のステップS14に示した入力操作判定処理の一実施例のフローチャートを示す。
図１７のステップS51において、記憶部２０に記憶されている表示画面情報２５の表示モード３７をチェックする。
【０１６０】
ステップS52において、現在の表示モード３７が、単画面表示の場合は、ステップS53に進み、複数分割画面表示の場合は、図１８のステップS71に進む。
ステップS53において、入力検出情報２６のタップ数４２が、１か否かをチェックする。
タップ数４２が１の場合は、ステップS54に進み、そうでない場合は、図１９のステップS91に進む。このフローチャートでは、タップ数が１でない場合は、タップ数が２で、単画面表示から２画面表示へ切り替える処理を行うものとする。
【０１６１】
ステップS54に進む場合は、図７の操作判定情報２１のNo.1あるいはNo.2の操作がされた場合に相当する。すなわち、単画面表示から、４画面表示に切り替える操作がされた場合に相当する。
ステップS54において、複数表示の場合の画面数３８を、４に設定し、現在の表示モード３７を、複数分割画面に設定する。
【０１６２】
ステップS55において、入力検出情報２６に記憶された移動距離４３より、接触位置の移動の有無をチェックする。たとえば、移動距離が、上記したような移動判定距離よりも大きい場合は、接触位置の移動があったと判断し、ステップS58に進む。一方、移動距離が、移動判定距離以下の場合は、接触位置の移動がなかったと判断し、ステップS56に進む。ステップS56に進む場合は、図７の操作判定情報２１のNo.1の操作をした場合に対応し、ステップS58に進む場合は、図７の操作判定情報２１のNo.2の操作をした場合に対応する。
【０１６３】
ステップS56において、４画面表示の４つの画面に表示させる入力信号を選択し、その選択した入力信号の画面位置を設定する。その後、ステップS57に進む。
入力信号の選択は、予め設定された基準に基づいて、自動的に行う。
たとえば、複数の入力端子のうち、現在単画面表示されている画像の入力端子がメインチャンネルに予め設定されており、サブチャンネルに予め設定されている複数の入力端子がある場合は、メインチャンネルの入力端子に入力されている映像信号の画像と、サブチャンネルの入力端子のうち任意の３つの入力端子に入力されている映像信号の画像を表示するように設定する。４つの画面の配置については、各チャンネルと分割表示位置とを予め対応づけておき、各チャンネルの画像を、対応する分割表示位置に表示すればよい。
【０１６４】
また、図２（c）に示すように、４つの画面に対して、画面番号Ｇ１からＧ４が設定されている場合、単画面表示されている画像を、左上の画面Ｇ１に表示し、他の３つの画面（Ｇ２からＧ４）には、入力端子番号の小さい番号順に入力されている映像信号の画像を、順にそれぞれ表示させるようにしてもよい。
なお、一旦自動的に４つの画像を表示させた後に、ユーザが、所望の画面位置に、所望の画像を表示させるように、ユーザ自身で画像を選択する設定入力をしてもよい。
【０１６５】
ステップS58において、記憶部２０に記憶されている接触位置の移動方向４４を読み出す。
ステップS59において、読み出した移動方向４４に基づいて、現在単画面表示されている画像を表示する位置を決定する。たとえば、移動方向４４が、右上方向である場合は、現在単画面表示されている画像を、４画像表示のうち右上の位置の画面に表示させるものとする。また、移動方向４４が、左下方向である場合は、現在単画面表示されている画像を、４画像表示のうち左下の位置の画面に表示させるものとする。
【０１６６】
ステップS60において、他の３つの画面に表示させる入力信号を選択し、その選択した入力信号の画面位置を設定する。その後、ステップS57に進む。
他の３つの画面に対する入力信号の選択は、上記した基準と同様に、予め設定された基準に基づいて、自動的に行えばよい。
【０１６７】
ステップS57において、画面切替処理を、複数画面表示処理に決定する。ここでは、４画面表示処理に決定する
その後、ステップS14の処理を終了し、図１５のステップS15に進む。
【０１６８】
図１８のステップS71において、現在の複数分割画面表示において、現在の画面数３８が２であるか、あるいは４であるかをチェックする。
現在の画面数３８が２である場合、すなわち、現在２画面分割表示をしている場合は、図２０のステップS111に進む。一方、現在の画面数３８が４である場合、すなわち、現在４画面分割表示をしている場合は、ステップS72に進む。
【０１６９】
ステップS72において、ダブルタップがされているか否かをチェックする。
ダブルタップがされている場合は、ステップS73に進み、ダブルタップがされていない場合は、ステップS75に進む。ステップS73に進む場合は、図７の操作判定情報２１のNo.5の操作をした場合に対応する。
【０１７０】
ステップS73において、現在の４つの画面に表示されている画像のうち、単画面に表示させる入力信号を設定する。
たとえば、複数の入力端子のうち、メインチャンネルに予め設定されている入力端子に入力されている映像信号の画像を表示するように設定する。
また、記憶された始点位置４０と終点位置４１を利用し、図１１（a-4）に示したように、ダブルタップされた位置に表示されていた分割画面の画像を選択し、単画面に表示するようにしてもよい。
ステップS74において、画面切替処理を、単画面表示処理に決定する。その後、ステップS14の処理を終了し、図１５のステップS15に進む。
【０１７１】
ステップS75において、記憶部２０に記憶されている画面位置判定４５が、「同一」か、あるいは「相違」かをチェックする。
画面位置判定４５が「同一」の場合は、ステップS76に進み、「相違」の場合は、ステップS81に進む。ステップS81に進む場合は、図７の操作判定情報２１のNo.6の操作をした場合に対応する。
【０１７２】
ステップS76において、記憶部２０に記憶されている接触位置の移動方向４４を読み出す。
ステップS77において、読み出した移動方向４４が、「外側方向」か否かをチェックし、「外側方向」の場合は、ステップS78に進み、そうでない場合は、ステップS80に進む。
ステップS78に進む場合は、図７の操作判定情報２１のNo.7の操作をした場合に対応する。
【０１７３】
ステップS78において、入力信号と表示画面位置の切替処理を行う。ここでは、接触された画面に表示する画像の入力信号を、ユーザの選択入力操作によって変更する。
この切替処理は、図１２に示したような処理に相当する。入力信号と表示画面位置の切替処理の詳細については、後述する図２１に示す。
【０１７４】
ステップS79において、入力信号と表示画面位置の切替処理の結果に基づいて、４つの画面に表示する入力信号を設定し、その設定した入力信号の画面位置を設定する。その後、ステップS83に進む。
ステップS83において、画面切替処理を、４画面表示処理に決定する。その後、ステップS14の処理を終了し、図１５のステップS15に進む。
【０１７５】
一方、ステップS80に進んだ場合は、移動方向４４が「外側方向」でないので、無効な操作がされたと判断し、画面切替処理を、現在の４画面表示の維持に決定する。この場合は、画面切替処理は行わない。その後、ステップS14の処理を終了し、図１５のステップS15に進む。
【０１７６】
ステップS81において、記憶部２０に記憶されている始点位置４０と終点位置４１を読み出す。
ステップS82において、読み出した始点位置４０と終点位置４１を利用して、位置を変更する２つの画面を選択する。また、選択した２画面に表示させる入力信号を入れ替える。
ここでは、始点位置４０に記憶されている画面と、終点位置４１に記憶されている画面とを入れ替えるための設定を行う。すなわち、接触開始位置が属する画面に表示されていた入力信号の画像を、接触解除位置が属する画面の表示位置に表示し、接触解除位置が属する画面に表示されていた入力信号の画像を、接触開始位置が属する画面の表示位置に表示するように設定する。
その後、上記したステップS83に進み、画面切替処理を、４画面表示処理に決定する。
【０１７７】
図１９のステップS91において、単画面表示から２画面表示に切り替える操作が行われたので、複数表示の場合の画面数３８を、２に設定し、現在の表示モード３７を、複数分割画面に設定する。
【０１７８】
ステップS92において、２画面に表示させる入力信号を選択する。
２画面のうち、一方の画面には、現在単画面に表示されている入力信号の画像を表示し、他方の画面には、予め設定された基準に基づいて、選択した入力信号の画像を表示するように設定すればよい。
【０１７９】
一方の画面については、現在の単画面に表示されている画像の入力信号がそのまま利用され、他方の画面については、現在の単画面に表示されている画像以外の入力信号が選択される。
たとえば、複数の入力端子のうち、サブチャンネルに予め設定されている複数の入力端子がある場合は、サブチャンネルの入力端子のうち任意の入力端子に入力されている映像信号の画像を表示するように設定する。
【０１８０】
ステップS93において、記憶部２０に記憶されている２つの接触位置の移動方向４４を読み出す。
ステップS94において、読み出した移動方向４４が、「斜め方向」かあるいは「水平方向」かをチェックし、「斜め方向」の場合は、ステップS95に進み、「斜め方向」の場合は、ステップS97に進む。
ステップS95に進む場合は、図７の操作判定情報２１のNo.3の操作をした場合に対応し、ステップS97に進む場合は、図７の操作判定情報２１のNo.4の操作をした場合に対応する。
【０１８１】
ステップS95において、ＰＩＰ表示を行うために、単画面の表示領域の内部において、他の画面を表示する位置（画面内表示位置）を設定する。
ＰＩＰ表示の場合、単画面表示されていた画像の入力信号は、そのまま利用され、表示パネルに対し全画面表示される。
また、ＰＩＰ表示において、単画面の表示領域の内部に表示される画面の初期位置を、記憶部２０に予め記憶しておき、他の画面を表示する位置（画面内表示位置）を、この初期位置に設定すればよい。
【０１８２】
単画面の表示領域の内部に表示される画面の表示位置としては、２つの始点のうち、どちらかの始点の位置を含む所定の大きさの領域を、設定してもよい。あるいは、２つの終点のうち、どちらかの終点の位置を含む所定の大きさの領域を、単画面の表示領域の内部に表示される画面の表示位置に設定してもよい。
さらに、他の画面を表示する大きさも、記憶部２０に予め記憶しておき、その大きさで、他の画面を表示するようにしてもよい。
【０１８３】
ステップS96において、画面切替処理を、２画面表示（ＰＩＰ表示）処理に決定する。その後、ステップS14の処理を終了し、図１５のステップS15に進む。
【０１８４】
ステップS97において、ＰＢＰ表示を行うために、現在の単画面と他の画面を表示する位置（２画面内並置位置）を設定する。ＰＢＰ表示の場合は、２つの画面は、たとえば、図２（b）に示すように、表示パネルの左右方向に並べて配置される。そこで、たとえば、現在の単画面を表示パネルの左側に配置し、他の画面を表示パネルの右側に配置するように、予め設定しておけばよい。
あるいは、２つの始点と２つの終点のうち、いずれかの１つの始点または終点の位置が存在する表示領域側に、現在の単画面に表示されていた画像を表示するように設定し、反対側の表示領域側に他の画面を表示するように設定してもよい。
【０１８５】
ステップS98において、画面切替処理を、２画面表示（ＰＢＰ表示）処理に決定する。その後、ステップS14の処理を終了し、図１５のステップS15に進む。
【０１８６】
図２０のステップS111において、現在２画面分割表示がされている状態で、ダブルタップがされているか否かをチェックする。
ダブルタップがされている場合は、ステップS112に進み、ダブルタップがされていない場合は、ステップS114に進む。ステップS112に進む場合は、図７の操作判定情報２１のNo.8またはNo.11の操作をした場合に対応する。
【０１８７】
ステップS112において、ステップS73と同様に、現在の２つの画面に表示されている画像のうち、単画面に表示させる入力信号を設定する。
たとえば、複数の入力端子のうち、メインチャンネルに予め設定されている入力端子に入力されている映像信号の画像を表示するように設定する。
また、記憶された始点位置４０と終点位置４１を利用し、図１３（a-4）に示したように、ダブルタップされた位置に表示されていた分割画面の画像を選択し、単画面に表示するようにしてもよい。
ステップS113において、ステップS74と同様に、画面切替処理を、単画面表示処理に決定する。その後、ステップS14の処理を終了し、図１５のステップS15に進む。
【０１８８】
ステップS114からステップS118においては、ステップS75からステップS79に示した処理とほぼ同じ処理を行う。
【０１８９】
ステップS114において、記憶部２０に記憶されている画面位置判定４５が、「同一」か、あるいは「相違」かをチェックする。
画面位置判定４５が「同一」の場合は、ステップS115に進み、「相違」の場合は、ステップS119に進む。ステップS119に進む場合は、図７の操作判定情報２１のNo.9またはNo.12の操作をした場合に対応する。
【０１９０】
ステップS115において、記憶部２０に記憶されている接触位置の移動方向４４を読み出す。
ステップS116において、読み出した移動方向４４が、「外側方向」か否かをチェックし、「外側方向」の場合は、ステップS117に進み、そうでない場合は、ステップS121に進む。
ステップS117に進む場合は、図７の操作判定情報２１のNo.10またはNo.13の操作をした場合に対応する。
【０１９１】
ステップS117において、入力信号と表示画面位置の切替処理を行う。ここでは、接触された画面に表示する画像の入力信号を、ユーザの選択入力操作によって変更する。
この切替処理は、図１３（c-1）から図１３（c-4）、または、図１４（c-1）から図１４（c-4）に示したような処理に相当する。入力信号と表示画面位置の切替処理の詳細については、後述する図２１に示す。
【０１９２】
ステップS118において、入力信号と表示画面位置の切替処理の結果に基づいて、２つの画面に表示する入力信号を設定し、その設定した入力信号の画面位置を設定する。その後、ステップS120に進む。
ステップS120において、画面切替処理を、２画面表示処理に決定する。その後、ステップS14の処理を終了し、図１５のステップS15に進む。
【０１９３】
一方、ステップS121に進んだ場合は、移動方向４４が「外側方向」でないので、無効な操作がされたと判断し、画面切替処理を、現在の２画面表示の維持に決定する。この場合は、画面切替処理は行わない。その後、ステップS14の処理を終了し、図１５のステップS15に進む。
【０１９４】
ステップS119において、現在表示されている２つの画面の位置を変更する。すなわち、２画面に表示させる入力信号を入れ替える。
その後、上記したステップS120に進み、画面切替処理を、２画面表示処理に決定した後、ステップS14の処理を終了し、図１５のステップS15に進む。
以上が、ステップS14に示した入力操作判定処理のフローチャートである。
【０１９５】
＜入力信号と表示画面位置の切替選択処理＞
図２１に、この発明の入力信号と表示画面位置の切替選択処理の一実施例のフローチャートを示す。
この切替選択処理は、上記したステップS78とステップS117で実行される処理である。
【０１９６】
図２１のステップS131において、入力信号リストメニューを表示する。
たとえば、図１２（a-4）に示したような入力信号リストメニューを表示する。
ユーザは、この入力信号リストメニューを見て、所望の入力信号を選択する操作をする。
たとえば、所望の入力信号が表示された領域に接触すればよい。
【０１９７】
ステップS132において、ユーザによる選択入力をチェックする。
ステップS133において、ユーザによる選択入力があった場合、ステップS135に進み、そうでない場合は、ステップS134に進む。
【０１９８】
ステップS134において、ユーザによって切替選択処理を終了する入力がされたか否かをチェックする。切替選択処理を終了する入力は、たとえば、所定の押しボタンキーを押すことにより行えばよい。
切替選択処理を終了する入力がされた場合は、処理を終了し、そうでない場合は、ステップS133に戻る。
【０１９９】
ステップS135において、現在の接触画面に表示されている画像に対する入力信号種別を、記憶部２０から取得する。たとえば、図１２（a-3）に示したように、フリック操作が行われた画面Ｇ２について、この画面Ｇ２に現在表示されている画面の入力信号種別（ＤＳＵＢ−０１）を取得する。
ステップS136において、ユーザによって選択された入力信号の種別を取得する。
【０２００】
ステップS137において、現在の接触画面の入力信号種別と、ユーザによって選択された入力信号の種別とを比較する。
ステップS138において、上記比較によって、両者の入力信号の種別が同一か否かをチェックし、入力信号の種別が同一の場合は、ステップS134に進み、入力信号の種別が異なる場合は、ステップS139に進む。
【０２０１】
ステップS139において、ユーザによって選択された入力信号を、現在の接触画面に表示する画像の入力信号に設定する。すなわち、接触画面に表示する画像を、ユーザによって選択された入力信号に対する画像に切り替えるように設定する。
その後、ステップS134に進む。
以上が、ステップS78とステップS117で実行される入力信号と表示画面位置の切替選択処理のフローチャートである。
【符号の説明】
【０２０２】
１  制御部、
２  接触検出部、
３  表示部、
４  表示信号制御部、
５  映像信号入力部、
６  入力信号処理部、
７  接触位置取得部、
８  入力操作判定部、
９  表示画面切替部、
２０  記憶部、
２１  操作判定情報、
２２  分割画面情報、
２３  映像信号情報、
２４  接触情報、
２５  表示画面情報、
２６  入力検出情報、
３１  ２画面位置情報、
３２  ４画面位置情報、
３３  入力端子番号、
３４  信号種別情報、
３５  接触開始位置（始点）、
３６  接触解除位置（終点）、
３７  表示モード、
３８  画面数、
３９  配置情報、
４０  始点位置、
４１  終点位置、
４２  タップ数、
４３  移動距離、
４４  移動方向、
４５  画面位置判定
【図１】
2019003337.tif 000003
【図２】
2019003337.tif 000004
【図３】
2019003337.tif 000005
【図４】
2019003337.tif 000006
【図５】
2019003337.tif 000007
【図６】
2019003337.tif 000008
【図７】
2019003337.tif 000009
【図８】
2019003337.tif 000010
【図９】
2019003337.tif 000011
【図１０】
2019003337.tif 000012
【図１１】
2019003337.tif 000013
【図１２】
2019003337.tif 000014
【図１３】
2019003337.tif 000015
【図１４】
2019003337.tif 000016
【図１５】
2019003337.tif 000017
【図１６】
2019003337.tif 000018
【図１７】
2019003337.tif 000019
【図１８】
2019003337.tif 000020
【図１９】
2019003337.tif 000021
【図２０】
2019003337.tif 000022
【図２１】
2019003337.tif 000023